(57)【要約】      （修正有）【課題】キャビティ及びインサートを有するゴルフクラブヘッド及びキャビティを有するゴルフクラブヘッドの製造方法を提供する。【解決手段】様々な実施形態では、ゴルフクラブヘッド１００は、ボディを備える。ボディは、ゴルフクラブヘッド１００のフロントにおけるストライクフェイス１０２と、ストライクフェイス１０２に対向するバックフェイス１０４と、ヒール領域１０６と、ヒール領域１０６に対向するトウ領域１０８と、ソール１１２と、ゴルフクラブヘッドのリアにおけるリア部１１４と、バックフェイス１０４とリア部１１４との間に設けられているキャビティ１１６を備える。多くの実施形態では、ボディは、さらに、キャビティ１１６内のインサート１４０を備える。【選択図】図１
2020157093.tif 000002
【特許請求の範囲】
【請求項１】
ゴルフクラブヘッドであって、
ボディと、
インサートと、を備え、
前記ボディは、
前記ゴルフクラブヘッドのフロントにおけるストライクフェイスと、
前記ストライクフェイスに対向するバックフェイスと、
ヒール領域と、
前記ヒール領域に対向するトウ領域と、
ソールと、
前記ゴルフクラブヘッドのリアにおけるリア部と、
前記バックフェイスと前記リア部との間に設けられているキャビティと、
を備え、
前記キャビティは、
前記バックフェイスからオフセットされているサイド壁と、
底部壁と、
前記ヒール領域から前記トウ領域へ前記キャビティの全長にわたって延在し、前記キャビティを第１のポケットと第２のポケットに分離し、アパーチャーを有する分割部と、
を備え、
前記インサートは、前記キャビティ内に受容され、
前記インサートは、
１つのアパーチャーを有する第１のコンポーネントと、
前記第１のコンポーネントの前記１つのアパーチャーと同心である１つのアパーチャーを有する第２のコンポーネントと、
前記第１のコンポーネントと前記第２のコンポーネントを分離するスリットと、
を備える、ゴルフクラブヘッド。
【請求項２】
前記第１のコンポーネントは、前記キャビティの前記第１のポケット内に配置され、
前記第２のコンポーネントは、前記キャビティの前記第２のポケット内に配置される、請求項１に記載のゴルフクラブヘッド。
【請求項３】
前記第１のコンポーネントの前記１つのアパーチャー、及び、前記第２のコンポーネントの前記１つのアパーチャーは、前記キャビティの前記分割部の前記アパーチャーと同心である、請求項１に記載のゴルフクラブヘッド。
【請求項４】
前記第１のコンポーネントの前記１つのアパーチャー、前記第２のコンポーネントの前記１つのアパーチャー、及び、前記分割部の前記アパーチャーは、締結具を受容する、請求項３に記載のゴルフクラブヘッド。
【請求項５】
前記分割部は、前記キャビティの前記サイド壁に対して平行に、前記キャビティの前記底部壁から延在している、請求項１に記載のゴルフクラブヘッド。
【請求項６】
前記分割部は、前記キャビティの前記サイド壁に対して所定の角度で、前記キャビティの前記底部壁から延在しており、
前記キャビティの前記第１のポケットは、前記ゴルフクラブヘッドの前記トウ領域よりも前記ヒール領域において、幅が大きくなっている、請求項１に記載のゴルフクラブヘッド。
【請求項７】
前記分割部は、前記キャビティの前記サイド壁に対して所定の角度で、前記キャビティの前記底部壁から延在しており、
前記キャビティの前記第１のポケットは、前記ゴルフクラブヘッドの前記ヒール領域よりも前記トウ領域において、幅が大きくなっている、請求項１に記載のゴルフクラブヘッド。
【請求項８】
前記分割部は、前記キャビティの前記サイド壁から垂直に延在している、請求項１に記載のゴルフクラブヘッド。
【請求項９】
前記第１のコンポーネント及び前記第２のコンポーネントは、タングステン、アルミニウム、チタン、バナジウム、クロム、コバルト、又は、ニッケルを含むことができる、請求項１に記載のゴルフクラブヘッド。
【請求項１０】
ゴルフクラブヘッドであって、
ボディと、
インサートと、を備え、
前記ボディは、
前記ゴルフクラブヘッドのフロント側のストライクフェイスと、
前記ストライクフェイスに対向するバックフェイスと、
ヒール領域と、
前記ヒール領域に対向するトウ領域と、
ソールと、
前記ゴルフクラブヘッドのリア側のリア部と、
前記バックフェイスと前記リア部との間に設けられているキャビティと、
を備え、
前記キャビティは、
前記バックフェイスの一部分を構成するフェイスサイド壁、
前記フェイスサイド壁に対向するリアサイド壁と、
前記フェイスサイド壁と前記リアサイド壁との間の底部壁と、
前記底部壁から前記キャビティの一部の中へ延在するポストと、
前記フェイスサイド壁から前記リアサイド壁へ測定される幅と、
を備え、
前記インサートは、前記キャビティ内に受容され、
前記インサートは、
第１のコンポーネントであって、
前記ゴルフクラブヘッドの前記リアサイド壁に隣接するように構成されているバック表面と、
前記バック表面に対向するフロント表面と、
底部表面と、
前記底部表面に対向する頂部表面と、
トウ領域サイドと、
前記トウ領域サイドに対向するヒール領域サイドと、
弾性的に変形可能な材料と、を備える前記第１のコンポーネントと、
頂部表面、底部表面、及び、塑性変形可能な材料を備え、前記インサートの前記第１のコンポーネント内に受容されるように構成されているリテイナーと、
を備える、ゴルフクラブヘッド。
【請求項１１】
前記インサートの前記第１のコンポーネントは、さらに、前記インサートの前記底部表面から延在するインサートキャビティを備え、
前記インサートキャビティは、前記ポスト及びリテイナーを受容するように構成されている、請求項１０に記載のゴルフクラブヘッド。
【請求項１２】
前記リテイナーは、さらに、前記キャビティの前記ポスト上に配置されるボアを備える、請求項１１に記載のゴルフクラブヘッド。
【請求項１３】
前記リテイナーの前記ボアは、
複数のタブと、
前記タブ同士の間に配置されたキャビティと、
を備え、
前記タブは、前記リテイナーが前記第１のコンポーネント内に配置されているときに、前記インサートの前記第１のコンポーネントの前記頂部表面に向けて上向きに配向されている、請求項１２に記載のゴルフクラブヘッド。
【請求項１４】
前記インサートは、０．５グラム〜３６グラムの範囲にあるマスを備える、請求項１０に記載のゴルフクラブヘッド。
【請求項１５】
ゴルフクラブヘッドであって、
ボディと、
インサートと、を備え、
前記ボディは、
前記ゴルフクラブヘッドのフロントにおけるストライクフェイスと、
前記ストライクフェイスに対向するバックフェイスと、
ヒール領域と、
前記ヒール領域に対向するトウ領域と、
ソールと、
前記ゴルフクラブヘッドのリアにおけるのリア部と、
前記バックフェイスと前記リア部との間に設けられているキャビティと、を備え、
前記キャビティは、
前記バックフェイスの一部分を構成するフェイスサイド壁と、
前記ヒール領域から前記トウ領域へ延在する凹部を備え、前記フェイスサイド壁に対向するリアサイド壁と、
前記フェイスサイド壁と前記リアサイド壁との間の底部壁と、
前記フェイスサイド壁から前記リアサイド壁へ測定される幅と、を備え、
前記インサートは、前記キャビティ内に受容され、
前記インサートは、
第１のコンポーネントであって、
前記ゴルフクラブヘッドの前記リアサイド壁に隣接するように構成されているバック表面と、
前記バック表面に対向するフロント表面と、
底部表面と、
前記底部表面に対向する上部表面と
トウ領域サイドと、
前記トウ領域サイドに対向するヒール領域サイドと、
弾性的に変形可能な材料と、を備える前記第１のコンポーネントと、
頂部表面、底部表面、及び、塑性変形可能な材料を備え、前記インサートの前記第１のコンポーネント内に受容されるように構成されているリテイナーと、
を備える、ゴルフクラブヘッド。
【請求項１６】
前記インサートの前記第１のコンポーネントは、前記第１のコンポーネントの前記バック表面に配置されているスロットを備え、前記インサートの前記リテイナーを受容するように構成されている、請求項１５に記載のゴルフクラブヘッド。
【請求項１７】
前記スロットの一部は、前記ボディの前記バック表面の前記第１のコンポーネントの材料の一部によって、ウィンドウへと分離されている、請求項１６に記載のゴルフクラブヘッド。
【請求項１８】
前記リテイナーは、
タブを有する第１のエッジと、
前記リアサイド壁の前記凹部内に受容されるアームを備え、前記第１のエッジに対向する第２のエッジと、
を備える、請求項１５に記載のゴルフクラブヘッド。
【請求項１９】
前記インサートの前記リテイナーは、前記キャビティの前記幅、及び、前記インサートの前記第１のコンポーネントの幅よりも大きい幅を備え、
前記リテイナーが前記インサートの前記第１のコンポーネント及び前記キャビティ内に受容されているときに、サジッタ距離が形成される、請求項１５に記載のゴルフクラブヘッド。
【請求項２０】
前記インサートは、０．５グラム〜３６グラムの範囲にあるマスを備える、請求項１５に記載のゴルフクラブヘッド。
【発明の詳細な説明】
【技術分野】
【０００１】
（関連出願の相互参照）
本出願は、２０１６年４月４日に出願された米国仮特許出願第６２/３１８，０４７号、及び、２０１６年１０月１３日に出願された米国仮特許出願第６２/４０７，７３６号、の利益を主張し、それらのすべての内容は、完全に参照により本明細書に組み込まれている。
【０００２】
本開示は、概して、ゴルフクラブに関し、より具体的には、キャビティ及びインサートを有するゴルフクラブヘッドに関する。
【背景技術】
【０００３】
ゴルフクラブ製造業者は、ユーザーの一般的な好み、及び、個々のユーザーのゴルフの能力に応えるように、ゴルフクラブヘッドを設計してきた。また、いくつかのゴルフクラブ製造業者は、個々のユーザーの好み、例えば、ゴルフクラブヘッドの外見及び感触に関するプレイヤーの好みなどに応えるように、ゴルフクラブヘッドを設計してきた。また、いくつかのゴルフクラブ製造業者は、ゴルフプレイに関連付けられる他のイベントに応えるように、ゴルフクラブヘッドを設計してきた。例えば、一部のプレイヤーは、ゴルフボールをヒットした後にゴルフクラブの中に振動を感じることを嫌う。従って、いくつかのゴルフクラブヘッドは、プレイヤーがプレイするのを支援するための要素を維持しつつ、プレイ中の望ましくない振動を低減するように設計され得る。いくつかのゴルフクラブヘッドは、プレイの間の望ましくない振動を低減するために、ゴルフクラブヘッドのキャビティ内にインサートを備える。しかしながら、キャビティ内のインサートは、インパクト中にキャビティ内で脱落する可能性がある。従って、脱落を防止するために、キャビティ内に機械的に固定することができるインサートが製造される。
【０００４】
実施形態のさらなる説明を容易にするために、以下の図面が提供される。
【図面の簡単な説明】
【０００５】
【図１】実施形態によるゴルフクラブヘッドのバックトウサイドの斜視図である。
【図２】図１のインサートがない状態における図１の断面線２−２に沿った図１のゴルフクラブヘッドを示す図である。
【図３】図１の断面線２−２に沿った図１のゴルフクラブヘッドを示す図である。
【図４Ａ】図１のゴルフクラブヘッドのインサートの第１のコンポーネントのバックヒールサイドの斜視図である。
【図４Ｂ】図１のゴルフクラブヘッドのインサートの第２のコンポーネントのバックヒールサイドの斜視図である。
【図５】別の実施形態によるゴルフクラブヘッドのバックトウサイドの斜視図である。
【図６】図５の断面線６−６に沿った、図５のゴルフクラブヘッドを示す図である。
【図７Ａ】図５のゴルフクラブヘッドのインサートの第１のコンポーネントを示す図である。
【図７Ｂ】図５のゴルフクラブヘッドのインサートの第２のコンポーネントを示す図である。
【図８】別の実施形態によるゴルフクラブヘッドのバックトウサイドの斜視図である。
【図９】図８のインサートがない状態における図８の断面線９−９に沿った図８のゴルフクラブヘッドを示す図である。
【図１０】実施形態による図８のゴルフクラブヘッドのインサートのバックヒールサイドの斜視図である。
【図１１】別の実施形態による、図８のゴルフクラブヘッドのインサートのバックヒールサイドの斜視図である。
【図１２】別の実施形態によるゴルフクラブヘッドのバックトウサイドの斜視図である。
【図１３】図１２のゴルフクラブヘッドのインサートのバックトウサイドの斜視図である。
【図１４】図１２のゴルフクラブヘッドのインサートの側面図である。
【図１５】別の実施形態によるゴルフクラブヘッドのバックトウサイドの斜視図である。
【図１６】図１５のゴルフクラブヘッドのインサートのバックトウサイドの斜視図である。
【図１７】図１５のゴルフクラブヘッドのインサートの側面図である。
【図１８】実施形態によるゴルフクラブの正面図である。
【図１９】方法の実施形態による、ゴルフクラブヘッドを製造する方法を示す図である。
【発明を実施するための形態】
【０００６】
簡単かつ明瞭に示すため、図は構造の一般的な態様を示し、周知の特徴及び技術の説明及び詳細は、ゴルフクラブ及びその製造方法を不必要に不明瞭にするのを防止するため、省略することがある。さらに、図中の部材は、必ずしも縮尺に合わせて描かれてはいない。例えば、図中のいくつかの部材の寸法は、他の部材に対して誇張し、キャビティを有するゴルフクラブ及び関連する方法の実施形態が向上するのを支援する。異なる図における同じ参照番号は、同じ部材を示す。
【０００７】
明細書及び請求の範囲における「第１」、「第２」、「第３」及び「第４」等の用語は、存在する場合には、同様な部材の間を識別するために使用しており、必ずしも特定の順序または経時的順番を記述するものではない。そのように使用される用語は、本明細書に記載のキャビティを有するゴルフクラブ及び関連する方法の実施形態が、例えば、本明細書に説明され、又は。記載された以外の順序で操作可能であるような適切な状況下において互いに交換可能であることが理解される。更に、「contain」、「include」及び「have」の用語及びその変化は、非排他的な包含を含むことを意図しており、部材のリストを含むプロセス、方法、物品、又は、装置は、必ずしもこれらの部材に制限されるものではなく、このようなプロセス、方法、物品または装置に明示的に表示されず、又は、本来の他の部材を包含してもよい。
【０００８】
明細書及び請求の範囲に「左」、「右」、「前」、「後」、「頂部」、「底部」、「側部」、「下」、「上」等の用語がある場合には、説明目的で使用するものであり、必ずしも永久的な相対位置を説明するものではない。このように使用される用語は、本明細書に記載のゴルフクラブ及び製造方法の実施形態が、例えば、本明細書に説明されまたは記載された以外の向きで操作可能であるような適切な状況下において互いに交換可能であることが理解される。
【０００９】
「機械的な連結」などは、広く理解されるべきであり、すべてのタイプの機械的な連結を含む。
【００１０】
「連結されている」などの語句の近くに「除去可能に」及び「除去可能な」等の語句がないことは、問題の連結などが除去可能であるか又は除去可能でないかということを意味していない。
【００１１】
本明細書では、ゴルフクラブヘッドのキャビティ内に配置されているセントラルチューニングポート（ＣＴＰ）ウェイトを備えることができるゴルフクラブヘッドが説明されている。多くの実施形態では、ＣＴＰウェイトは、第１のコンポーネント及び第２のコンポーネントを備える。第１及び第２のコンポーネントの組み合わせは、ＣＴＰをインサート内に固定するために、表面摩擦、又は、リテンションロック／リテンション圧入を生成する。他の実施形態では、ＣＴＰウェイトは、１つのコンポーネントを備える。１つのコンポーネントは、ゴルフクラブヘッドのキャビティ内にＣＴＰウェイトを固定するために、圧入を生成する。ＣＴＰウェイトは、ゴルフクラブヘッドのウェイトを増加させ、重心に影響を与え、それによって、ゴルフクラブヘッドの慣性モーメントの特定に影響を与える。
【００１２】
１つの実施形態によれば、ボディを有するゴルフクラブヘッドは、ストライクフェイスと、ストライクフェイスに対向するバックフェイスと、ヒール領域と、ヒール領域に対向するトウ領域と、ソールと、リア部と、を備える。ゴルフクラブヘッドは、さらに、リア部とバックフェイスとの間に配置されているキャビティを備える。キャビティは、幅と、凹部を有するリアサイド壁と、リアサイド壁に対向するフェイスサイド壁と、底部壁と、を備える。キャビティは、インサート（又は、ＣＴＰウェイト）を受容するように構成されている。インサートは、キャビティの幅よりもわずかに小さい幅を有する第１のコンポーネント（又は、ボディ）と、キャビティの幅よりも大きい幅を有する第２のコンポーネント（又は、リテイナー）と、を備える。インサートの第１のコンポーネントは、フロント表面及びバック表面を備える。ボディのフロント表面は、第１のコンポーネントのバック表面に向けて延在するスロットを備える。スロットの一部分は、ボディのバック表面の上の第１のコンポーネントの材料の一部分によって、ウィンドウへと分離されている。インサートのリテイナーは、フロント表面の上のスロットを通って、第１のコンポーネントによって受容されるように構成されている。リテイナーは、タブを有する第１のエッジと、第１のエッジの反対側の第２のエッジと、を備え、第２のエッジはアームを有する。アームは、スロットのウィンドウを通して延在することができる。インサートがキャビティ内に配置されているときに、リテイナーのアームはキャビティのリアサイド壁上の凹部内に受容されており、リテイナーのタブはキャビティのフェイスサイド壁に押し付けられている。インサートのリテイナーは、インサートをキャビティ内に固定するために、圧入を生成する。リテイナーは、インサートをさらに固定するために、キャビティの壁部に対してリテンションロックを生成するＵ字形状の湾曲をさらに形成する。
【００１３】
ゴルフクラブヘッドの別の実施形態によれば、キャビティは、フェイスサイド壁と、フェイスサイド壁に対向するリアサイド壁と、底部サイド壁と、を備える。底部サイド壁は、キャビティの一部分内に延在するポストを備える。キャビティは、第１のコンポーネント（又は、本体部）及び第２のコンポーネント（又は、リテイナー）を有するインサートを受容するように構成されている。第１のコンポーネントは、フロント表面と、バック表面と、頂部表面と、底部表面と、を備えてもよい。インサートがキャビティ内に配置されているときに、フロント表面は、フェイスサイド壁に隣接している。第１のコンポーネントは、インサートキャビティを備えてもよく、インサートキャビティは、リテイナーを受容するためにフロント表面上に配置されており、ポストを受容するために底部表面上に配置されている。リテイナーは、形状がワッシャー状になっている。リテイナーは、頂部と、底部と、ボアと、頂部及び底部に対して平面的なボアから延在するタブと、を備える。リテイナーのボアは、第１のコンポーネントのインサートキャビティ内に配置されているときに、ポストを受容するように構成されている。インサートがキャビティ内に配置されているときに、ポストは、リテイナーのボアを通って受容されており、第１のコンポーネントのインサートキャビティの一部分内へ延在している。さらに、リテイナーのタブは、第１のコンポーネントの頂部表面に向けて上向きの湾曲で延在しており、上向きの力が、ポストに対してタブから生成されるようになっている。上向きの力は、インパクトの間にインサートがキャビティから脱落することを防止する。
【００１４】
ゴルフクラブヘッドの別の実施形態によれば、ゴルフクラブヘッドのキャビティは、分割部を備え、分割部は、キャビティを第１のポケット及び第２のポケットへと分離している。分割部は、アパーチャーを備える。キャビティは、第１のコンポーネント及び第２のコンポーネントを有するインサートを受容するように構成されている。第１のコンポーネントは、第１のポケット内に配置されており、第２のコンポーネントは、キャビティの第２のポケット内に配置されている。インサートは、さらに、インサートアパーチャーを備える。インサートアパーチャーは、第１及び第２のコンポーネントを延在しており、キャビティの分割部のアパーチャーと同心である。分割部のアパーチャー及びインサートアパーチャーは、締結具を受容するように構成されており、インサートの第１のコンポーネント及び第２のコンポーネントを分割部とともに圧縮する。圧縮は、分割部によって第１のコンポーネントと第２のコンポーネントとの間に表面摩擦を生成し、それによって、ゴルフクラブヘッドのキャビティ内にインサートを固定する。
【００１５】
ゴルフクラブヘッドの別の実施形態によれば、ゴルフクラブヘッドのキャビティは、インサートを受容するように構成されている。インサートは、表面と、フロント表面に対向するフロント表面と、ヒール領域と、ヒール領域に対向するトウ領域と、頂部表面と、頂部表面に対向する底部表面と、を備える。インサートは、インサートの底部表面の中央に配置されているフレックススロットを備える。フレックススロットは、キャビティ内に配置される前に、インサートが圧縮することを可能にし、インサートがキャビティ内に配置されているときに、そのオリジナル形態へ拡大するようになっている。インサートの拡大は、インサートをキャビティ内に固定するための圧入を生成する。インサートは、さらに、バック表面上に配置されているリブであって、接着剤がキャビティの中へ塗布されるときに、インサートがシフトすることを防止するためのリブを備える。インサートは、さらに、リップを備える。リップは、インサートのバック表面に対して垂直に、及び、インサートのバック表面に隣接して、頂部壁から突出している。インサートは、さらに、アンダーカットを備える。アンダーカットは、インサートのリップの下方に、及び、インサートのリップに隣接して、インサートの一部分へ延在しており、より多くの接着剤がキャビティとインサートとの間に配置されることを可能にする。
【００１６】
Ａ．ロッキング・リテイナー・インサート
１．凹部を備えたインサート
本明細書では、キャビティ１１６を備えることができるゴルフクラブヘッド１００が説明されている。キャビティ１１６は、インサート１４０を受容するように構成されてもよい。キャビティ１１６は、フェイスサイド壁１２０と、フェイスサイド壁１２０に対向するリアサイド壁１２２と、底部壁１２４と、を備えてもよい。インサートは、第１のコンポーネント２４２及びリテイナー２４４を備えてもよい。リテイナー２４４は、第１のコンポーネント２４２内に受容されるように構成されており、インサート１４０は、キャビティ１１６内に配置されており、リテイナー２４４は、キャビティ１１６のフェイスサイド壁１２０及びリアサイド壁１２２と接触した状態になる。挿入中におけるリテイナー２４４と、フェイスサイド壁１２０及びリアサイド壁１２２と、の接触は、リテイナー２４４が曲がり、キャビティ１１６の中でＵ字形状を生成させることを結果として生じさせる。Ｕ字形状の湾曲へのリテイナー２４４の曲げは、フェイスサイド壁１２０及びリアサイド壁１２２に対して上向きの力を生成させる。上向きの力は、スウィングの間のインパクトからインサート１４０がキャビティ１１６から外へ脱落することを防止する。従って、インサート１４０をキャビティ１１６内に固定する。
【００１７】
図面を見てみると、図１は、実施形態によるゴルフクラブヘッド１００のバックトウサイドの斜視図を図示している。ゴルフクラブヘッド１００は、単に例示的なものにすぎず、本明細書で提示されている実施形態に限定されない。ゴルフクラブヘッド１００は、具体的には本明細書で示され又は説明されていない多くの異なる実施形態、又は、例の中で用いることができる。
【００１８】
いくつかの実施形態では、ゴルフクラブヘッド１００は、アイアンタイプのゴルフクラブヘッドであってもよい。他の実施形態では、ゴルフクラブヘッド１００は、別のタイプのゴルフクラブヘッド（例えば、ドライバータイプのクラブヘッド、フェアウェイウッドタイプのクラブヘッド、ハイブリッドタイプのクラブヘッド、ウッドタイプのクラブヘッド、ウェッジタイプのクラブヘッド、又は、パタータイプのクラブヘッド）であってもよい。いくつかの実施形態では、ゴルフクラブヘッド１００は、ストライクフェイス１０２と、ストライクフェイス１０２に対向するバックフェイス１０４と、ヒール領域１０６と、ヒール領域１０６に対向するトウ領域１０８と、ソール１１２と、リア部１１４と、を備えてもよい。ゴルフクラブヘッド１００は、さらに、バックフェイス１０４とリア部１１４との間に配置されているキャビティ１１６を備えてもよい。いくつかの実施形態では、ゴルフクラブヘッド１００は、ホーゼルを備えてもよく、ホーゼルは、他の実施形態では、省略されてもよい。多くの実施形態では、リア部１１４は、伝統的なマッスルバック・アイアン・ゴルフクラブヘッドと同様に見えるように設計されてもよい。例えば、多くのマッスルバック・アイアンは、ゴルフクラブヘッドのフルバック部又はフルリア部を有している。マッスルバック・アイアンは、非マッスルバック・アイアンとは異なっている。非マッスルバック・アイアンでは、ゴルフクラブヘッドのリア又はバックは、マッスルバック、フルバック、及び／又は、リア部分を少なくとも部分的に除去するためにくりぬかれている。いくつかの実施形態では、リア部分１１４は、重い外見又は厚い外見をゴルフクラブヘッドに提供するように設計され得る。
【００１９】
図２（断面線２−２における図１のゴルフクラブヘッドの図）に図示されているように、キャビティ１１６は、バックフェイス１０４の一部分を備え得るフェイスサイド壁１２０と、フェイスサイド壁１２０に対向するリアサイド壁１２２と、フェイスサイド壁１２０とリアサイド壁１２２との間に配置されている底部壁１２４と、を備えてもよい。キャビティ１１６は、さらに、凹部１２６を備えてもよい。凹部１２６は、フェイスサイド壁１２０の一部分、リアサイド壁１２２の一部分、又は、フェイスサイド壁１２０及びリアサイド壁１２２の両方の上に配置されている。凹部１２６は、ゴルフクラブヘッド１００のヒール領域１０６からトウ領域１０８の近くへ延在し、チャネルを形成してもよい。図２に図示されているような他の実施形態では、リアサイド壁１２２が、凹部１２６を備えてもよい。他の実施形態では、フェイスサイド壁１２０及びリアサイド壁１２２の両方が、凹部１２６を備えてもよい。
【００２０】
キャビティ１１６は、さらに、幅２１８を備えてもよい。キャビティ１１６の幅２１８は、フェイスサイド壁１２０からリアサイド壁１２２まで測定される距離である。いくつかの実施形態において、キャビティ１１６の幅２１８は、０．１０インチ〜０．５０インチ、０．１０インチ〜０．２５インチ、０．２５インチ〜０．５０インチ、０．２０インチ〜０．４０インチ、０．１５インチ〜０．３５インチ、又は、０．３０インチ〜０．４５インチの範囲であってもよい。他の実施形態では、幅２１８は、少なくとも０．１０インチ、少なくとも０．１４インチ、少なくとも０．１８インチ、少なくとも０．２２インチ、少なくとも０．２６インチ、少なくとも０．３０インチ、少なくとも０．３４インチ、少なくとも０．３８インチ、少なくとも０．４２インチ、少なくとも０．４６インチ、又は、少なくとも０．５０インチであってもよい。
【００２１】
図３は、図１の断面線２−２に沿って、ゴルフクラブヘッドを図示している。いくつかの実施形態では、キャビティ１１６は、少なくとも部分的にキャビティ１１６内にインサート１４０を受容するように構成されてもよい。他の実施形態では、インサート１４０は、ゴルフクラブヘッド１００のキャビティ１１６を補完する。インサート１４０は、キャビティ１１６のフェイスサイド壁１２０、リアサイド壁１２２、及び、底部壁１２４に当接する。多くの実施形態では、インサート１４０は、ストライクフェイス１０２上でのゴルフボールのインパクトの後に、ゴルフクラブヘッド１００上の振動を減衰させることができ、感触を改善し、望まれない音を低減させることができる。インサート１４０は、ゴルフクラブヘッド１００のより高いローンチ及び慣性の増加のために、ゴルフクラブヘッド１００の重心をさらに低下させることが可能である。いくつかの実施形態では、インサート１４０は、振動減衰材料、フィラーインサート、ウェイト部材、及び／又は、カスタム・チューニング・ポート（ＣＴＰ）ウェイトを備えてもよい。
【００２２】
図４Ａ及び図４Ｂに図示されているように、インサート１４０は、第１のコンポーネント又はボディ２４２、及び、第２のコンポーネント又はリテイナー２４４を備えてもよい。第１のコンポーネント２４２は、バック表面２０２と、バック表面２０２に対向するフロント表面２０４と、底部表面２０６と、底部表面２０６に対向する頂部表面２０８と、ヒール領域サイド２０５と、ヒール領域サイド２０５に対向するトウ領域サイド２０７と、を備えてもよい。インサート１４０がキャビティ１１６内に配置されているときに、第１のコンポーネント２４２のバック表面２０２は、ゴルフクラブヘッド１００のリアサイド壁１２２に隣接するように構成されている。
【００２３】
インサート１４０の第１のコンポーネント２４２は、さらに、幅２１２を備えてもよい。第１のコンポーネント２４２の幅２１２は、バック表面２０２からフロント表面２０４まで測定される距離である。いくつかの実施例では、第１のコンポーネント２４２の幅２１２は、キャビティ１１６の幅２１８と略同じか、又は、わずかに小さくてもよい。いくつかの実施形態では、第１のコンポーネント２４２の幅２１２は、０．１０インチ〜０．５０インチ、０．１０インチ〜０．２５インチ、０．２５インチ〜０．５０インチ、０．２０インチ〜０．４０インチ、０．１５インチ〜０．３５インチ、又は、０．３０インチ〜０．４５インチの範囲であってもよい。例えば、幅２１２は、第１のコンポーネント２４２の幅２１２は、０．１０インチ、０．１４インチ、０．１８インチ、０．２２インチ、０．２６インチ、０．３０インチ、０．３４インチ、０．３８インチ、０．４２インチ、０．４６インチ、又は、０．５０インチであってもよい。
【００２４】
いくつかの実施形態では、第１のコンポーネント２４２は、フロント表面２０４上に配置されたスロット３６１を備えてもよく、バック表面２０２に向かって延在してもよい。スロット３６１は、ヒール領域サイド２０５からトウ領域サイド２０７へ広がってもよい。多くの実施形態では、スロット３６１は、底部表面２０６に対して平行に広がることが可能であり、他の実施形態では、スロット３６１は、底部表面２０６に対して斜めに広がることが可能である。いくつかの実施形態では、スロット３６１は、第１のコンポーネント２４２の任意の材料のボイドであってもよい。他の実施形態では、第１のコンポーネント２４２のいくつかの材料が、バック表面２０２からスロット３６１の一部分の中へ延在してもよく、図４Ａに図示されているように、スロット３６１のウィンドウが形成される。第１のコンポーネント２４２がキャビティ１１６内に配置されているときに、スロット３６１のウィンドウは、キャビティ１１６のリアサイド壁１２２に隣接している。いくつかの実施形態では、複数のウィンドウが、バック表面２０２のスロット３６１に形成可能であり、例えば、１つ、２つ、３つ、４つ、５つ、６つ、７つ、又は、８つのウィンドウ等を、スロット３６１に形成することができる。
【００２５】
インサート１４０の第１のコンポーネント２４２は、さらに、レッジ２１０を備えてもよい。レッジ２１０は、バック表面２０２に隣接、及び、バック表面２０２に対して垂直に、頂部表面２０８から延在している。第１のコンポーネント２４２のレッジ２１０は、ヒール領域サイド２０５からトウ領域サイド２０７へ均一に延在し、真っ直ぐなレッジを生成してもよい。他の実施形態では、レッジ２１０は、第１のコンポーネント２４２のヒール領域サイド２０５からトウ領域サイド２０７へ様々な長さに延在してもよい。例えば、図３に図示されているように、レッジ２１０の長さは、ヒール領域サイド２０５からトウ領域サイド２０７に向かって増加し、次いで減少する。レッジ部２１０の長さは、第１のコンポーネント２４２の中間点において最大になっている。図３に図示されているように、インサート１４０がキャビティ１１６内に配置されているときに、頂部表面２０８のレッジ２１０が、リア部１１４の頂部表面２０９に当接する。頂部表面２０８のレッジ２１０は、フィッティング又は調節の間に、製造業者がキャビティ１１６からインサート１４０を除去することを可能にするレバレッジ・レッジ（leverage ledge）として作用することができる。
【００２６】
インサート１４０の第１のコンポーネント２４２は、さらに、マスを備えてもよい。第１のコンポーネント２４２のマスは、０．０２グラム〜３２グラム、０．０２グラム〜０．４０グラム、０．０４０グラム〜０．８０グラム、０．０８０グラム〜３グラム、３グラム〜９グラム、９グラム〜１５グラム、１５グラム〜２１グラム、２１グラム〜２７グラム、２７グラム〜３２グラム、０．０２グラム〜１０グラム、１０グラム〜２０グラム、又は、２０グラム〜３２グラムの範囲であってもよい。例えば、第１のコンポーネント２４２のマスは、０．０２グラム、０．５０グラム、１グラム、５グラム、１０グラム、１５グラム、２０グラム、２５グラム、３０グラム、又は、３２グラムであってもよい。
【００２７】
インサート１４０のリテイナー２４４は、第１のコンポーネント２４２のフロント表面２０４上に配置されているスロット３６１の中に受容されるように構成されている。インサート１４０のリテイナー２４４は、第１のエッジ２１４と、第１のエッジ２１４に対向する第２のエッジ２１６と、頂部表面２１３と、頂部表面２１３に対向する底部表面２１５と、を備えてもよい。いくつかの実施形態では、リテイナー２４４の第１のエッジ２１４は、平坦面である。他の実施形態では、第１のエッジ２１４は、タブ３５３を備えてもよく、タブ３５３は、第１のエッジ２１４の平坦面から延在している。多くの実施形態では、インサート１４０がキャビティ１１６内に配置されているときに、リテイナー２４４のタブ３５３は、フェイスサイド壁１２０に隣接しており、フェイスサイド壁１２０に接触している。他の実施形態では、タブ３５３は、キャビティ１１６のフェイスサイド壁１２０の上の凹部（図示省略）内に受容され、インサート１４０をキャビティ１１６の中に固定することを助けることができる。
【００２８】
リテイナー２４４の第２のエッジ２１６は、アーム３５１を備えてもよく、アーム３５１は、第２のエッジ２１６から延在している。リテイナー２４４がボディ２４２のスロット３６１内に配置されているときに、リテイナー２４４のアーム３５１は、スロット３６１のウィンドウ内に受容されるように構成されている。インサート１４０がキャビティ１１６内に配置されているときに、アーム３５１は、キャビティ１１６のリアサイド壁１２２に隣接しており、キャビティ１１６のリアサイド壁１２２に接触している。図３に図示されているようないくつかの実施形態では、アーム３５１は、キャビティ１１６のリアサイド壁１２２の上の凹部１２６内にさらに受容され、インサート１４０をキャビティ１１６の中に固定することを助けることができる。いくつかの実施形態では、アーム３５１は、１つ、２つ、３つ、４つ、５つ、６つ、７つ、８つのアーム３５１を備えてもよい。多くの実施形態では、アーム３５１の数は、スロット３６１の中に形成されたウィンドウの数に対応してもよい。図４Ａ及び図４Ｂに図示されているような多くの実施形態では、リテイナー２４４は、第１のコンポーネント２４２のスロット３６１の中に形成されたウィンドウの数と同じ数のアーム３５１を備えてもよい。
【００２９】
リテイナー２４４は、さらに、幅３４６を備える。リテイナー２４４の幅３４６は、第１のエッジ２１４（又はタブ３５３）からアーム３５１のエッジまで測定される距離である。いくつかの実施形態では、リテイナー２４４の幅３４６は、０．１０インチ〜０．６０インチ、０．１０インチ〜０．３０インチ、０．３０インチ〜０．６０インチ、０．２０インチ〜０．４４インチ、０．１５インチ〜０．３５インチ、又は、０．３５インチ〜０．５５インチの範囲であってもよい。他の実施形態では、幅３４６は、０．１０インチ、０．１２インチ、０．１４インチ、０．１６インチ、０．１８インチ、０．２０インチ、０．２２インチ、０．２４インチ、０．２６インチ、０．２８インチ、０．３０インチ、０．３２インチ、０．３４インチ、０．３６インチ、０．３８インチ、０．４０インチ、０．４２インチ、０．４４インチ、０．４６インチ、０．４８インチ、０．５０インチ、０．５２インチ、０．５４インチ、０．５６インチ、０．５８インチ、又は、０．６０インチであってもよい。第２のコンポーネント２４６の幅３４６は、第１のコンポーネント２４２の幅２１２以上であってもよい。
【００３０】
リテイナー２４４は、さらに、リテイナー２４４の頂部表面２１３からリテイナー２４４の底部表面２１５まで測定される距離である厚さ２４５を備えてもよい。いくつかの実施形態では、リテイナー２４４の厚さ２４５は、０．０００２インチ（０．００５０８ｍｍ）〜０．４００インチ（１０．１６ｍｍ）の範囲であってもよい。他の実施形態では、厚さ２４５は、０．０１０インチ（０．２５４ｍｍ）〜０．２０インチ（５．０８ｍｍ）の範囲であってもよい。いくつかの実施形態では、リテイナー２４４の厚さ２４５は、約０．００１インチ（０．０２５４ｍｍ）、０．００２インチ（０．０５０８ｍｍ）、０．００３インチ（０．０７６２ｍｍ）、０．００４インチ（０．１０１６ｍｍ）、０．００５インチ（０．１２７ｍｍ）、０．００６インチ（０．１５２４ｍｍ）、０．００７インチ（０．１７７８ｍｍ）、０．００８インチ（０．２０３２ｍｍ）、０．００９インチ（０．２２８６ｍｍ）、０．０１インチ（０．２５４ｍｍ）、０．０２インチ（０．５０８ｍｍ）、０．０３インチ（０．７６２ｍｍ）、０．０４インチ（１．０１６ｍｍ）、０．０５インチ（１．２７ｍｍ）、０．０６インチ（１．５２４ｍｍ）、０．０７インチ（１．７７８ｍｍ）、０．０８インチ（２．０３２ｍｍ）、０．０９インチ（２．２８６ｍｍ）、０．１インチ（２．５４ｍｍ）、０．２インチ（５．０８ｍｍ）、０．３インチ（７．６２ｍｍ）、０．３５インチ（８．８９ｍｍ）、又は、０．４０インチ（１０．１６ｍｍ）であってもよい。
【００３１】
リテイナー２４４は、さらに、マスを備えてもよい。リテイナー２４４のマスは、０．０２グラム〜０．１５グラム、０．０２グラム〜０．０７グラム、０．０７グラム〜０．１５グラム、０．０２グラム〜０．０６グラム、０．０４グラム〜０．０８グラム、０．０６グラム〜０．１０グラム、０．０７グラム〜０．１２グラム、又は、０．０８グラム〜０．０１５グラムの範囲であってもよい。例えば、リテイナー２４４のマスは０．０２グラム、０．０４グラム、０．０６グラム、０．０８グラム、０．１０グラム、０．１２グラム、０．１４グラム、又は、０．１５グラムであってもよい。
【００３２】
第１のコンポーネント２４２及びリテイナー２４４を嵌合し、インサート１４０を形成するために、リテイナー２４４が、第１のコンポーネント２４２のフロント表面２０４を通って、第１のコンポーネント２４２のスロット３６１内に配置されてもよく、アーム３５１は、スロット３６１のウィンドウ内に受容される。いくつかの実施形態では、アーム３５１の端部は、第１のコンポーネント２４２のバック表面２０２と同一平面上であってもよい。図３に図示されているような他の実施形態では、リテイナー２４４の幅３４６は、第１のコンポーネント２４２の幅２１２よりも大きくなっており、アーム３５１が第１のコンポーネント２４２のバック表面２０２を越えて延在するようになっている。この実施形態では、インサート１４０がキャビティ１１６内に配置されているときに、アーム３５１は、キャビティ１１６のリアサイド壁１２２の凹部１２６内に受容され、インサート１４０をキャビティ１１６の中に固定することを助けることができる。
【００３３】
多くの実施形態では、アーム３５１は、第２のコンポーネント２４４の長さにわたって、第２のコンポーネント２４４の剛性を均一に分配することができる。いくつかの実施形態では、１つ又は複数のアーム３５１は、第２のコンポーネント２４４の長さにわたって、第２のコンポーネント２４４のウェイトを均一に分配することができる。多くの実施形態では、１つ又は複数のアーム３５１のそれぞれの最小幅３５７は、第２のコンポーネント２４４の厚さ２４５と略同じであってもよい。他の実施形態では、１つ又は複数のアーム３５１の最小幅３５７は、第２のコンポーネント２４４の厚さ２４５の約２倍又は３倍であってもよい。
【００３４】
いくつかの実施形態では、インサート１４０がキャビティ１１６内に配置されているときに、リテイナー２４４のアーム３５１が、キャビティ１１６のリアサイド壁１２２の凹部１２６内に受容され、タブ３５３が、キャビティ１１６のフェイスサイド壁１２０に押し付けられている。フェイスサイド壁１２０に押し付けられているタブ３５３、及び、凹部１２６内へ受容されているアーム３５１は、図３に図示されているように、Ｕ字形状の湾曲へとリテイナーを曲げる。他の実施形態では、キャビティ１１６は、凹部１２６のボイドであり、リテイナー２４４の幅３４６は、キャビティ１１６の幅２１８よりも大きくなっている。この実施形態では、インサート１４０がキャビティ１１６内に配置されているときに、タブ３５３は、フェイスサイド壁１２０に押し付けてられおり、アーム３５１は、リアサイド壁１２２に押し付けられており、リテイナー２４４が、Ｕ字形状の湾曲へと曲がる。Ｕ字形状の湾曲は、フェイスサイド壁１２０及びリアサイド壁１２２に対して上向きの力を生成し、インパクトの間にインサート１４０がキャビティ１１６から外へ脱落することを防止する。
【００３５】
いくつかの実施形態では、インサート１４０がキャビティ１１６内に配置されているときに、第２のコンポーネント２４４は、ゴルフクラブヘッド１００のキャビティ１１６の少なくとも一部分と接触した状態になっていてもよい。いくつかの実施形態では、第２のコンポーネント２４４は、ゴルフクラブヘッド１００のキャビティ１１６の少なくとも２つの部分と接触した状態になっていてもよい。いくつかの実施形態では、タブ３５３は、キャビティ１１６のフェイスサイド壁１２０と接触した状態になっていてもよく、アーム３５１は、リアサイド壁１２２と接触した状態になっていてもよい。多くの実施形態では、リテイナー２４４がゴルフクラブヘッド１００のキャビティ１１６の一部分と接触した状態になっているときに、接触ポイントは、テンション及び／又は摩擦をさらに提供し、インサート１４０をキャビティ１１６内に固定することが可能である。いくつかの実施形態では、接着剤が、インサート１４０をキャビティ１１６内に固定することを支援するために使用され得る。いくつかの実施形態では、インサート１４０をキャビティ１１６内に固定するために、又は、インサート１４０をキャビティ１１６内に固定することを支援するために、接着剤は使用されない。
【００３６】
多くの実施形態では、インサート１４０を形成する第１のコンポーネント２４２とリテイナー２４４との組み合わせは、マスを備えてもよい。インサート１４０のマスは、０．５グラム〜３６グラム、０．５グラム〜４グラム、４グラム〜８グラム、８グラム〜１２グラム、１２グラム〜１６グラム、１６グラム〜２０グラム、２０グラム〜２４グラム、２４グラム〜２８グラム、２８グラム〜３２グラム、３２グラム〜３６グラム、４グラム〜１６グラム、１６グラム〜２４グラム、又は、２４グラム〜３２グラムの範囲であってもよい。例えば、インサート１４０のマスは、０．０２グラム、０．５０グラム、１グラム、５グラム、１０グラム、１５グラム、２０グラム、２５グラム、３０グラム、又は３６グラムであってもよい。
【００３７】
図３に図示されているように、リテイナー２４４の幅３４６がキャビティ１１６の幅２１８よりも大きい実施形態では、リテイナー２４４は、キャビティ１１６内に配置されているときに、アーチ形の形状（Ｕ字形状の湾曲）を形成する。サジッタ距離（sagitta distance）２４７は、アーチ形の形状の高さである。インサート１４０がキャビティ内に配置されているときに、アーチ形の形状の高さは、リテイナー２４４の第１のエッジ２１４からリテイナー２４４のアーチ２５２の中間点へ垂直に測定される。
【００３８】
いくつかの実施形態では、第２のコンポーネント２４４のサジッタ距離２４７は、キャビティ１１６の幅２１８の約５％〜約２５％であってもよい。いくつかの実施形態では、サジッタ距離２４７は、キャビティ１１６の幅２１８の５％、６％、７％、８％、９％、１０％、１１％、１２％、１３％、１４％、１５％、１６％、１７％、１８％、１９％、２０％、２１％、２２％、２３％、２４％、又は、２５％であってもよい。１つの実施形態によれば、キャビティ１１６の幅２１８が約０．２０インチ（５．０８ｍｍ）である場合に、サジッタ距離２４７は、０．０１インチ（０．２５４ｍｍ）〜約０．０５インチ（１．２７ｍｍ）の範囲であってもよい。例えば、サジッタ距離２４７は、０．０１インチ（０．２５４ｍｍ）、０．０１５インチ（０．３８１ｍｍ）、０．０２インチ（０．５０８ｍｍ）、０．０２５インチ（０．６３５ｍｍ）、０．０３０インチ（０．７６２ｍｍ）、０．０３５インチ（０．８８９ｍｍ）、０．０４０インチ（１．０１６ｍｍ）、０．０４５インチ（１．１４３ｍｍ）、又は、０．０５インチ（１．２７ｍｍ）であってもよい。
【００３９】
多くの実施形態では、インサート１４０のリテイナー２４４は、さらに、塑性変形可能な材料を備えてもよい。いくつかの実施形態では、リテイナー２４４の塑性変形可能な材料は、金属、シム・ストック、スチール、アルミニウム、銅、他の適切な金属、金属合金、プラスチック、又は、複合材料を備えてもよい。他の実施形態では、リテイナー２４４は、弾性的に変形可能な材料、又は、形状記憶金属もしくは金属合金、例えば、ニッケル・チタンなどを備えてもよい。いくつかの実施形態では、リテイナー２４４の硬度は、Shore A 55からShore A 70の範囲であってもよい。
【００４０】
多くの実施形態では、インサート１４０の第１のコンポーネント２４２は、弾性的に変形可能な材料を備えてもよい。例えば、第１のコンポーネント２４２の弾性的に変形可能な材料は、ポリマー、ウレタン材料、ウレタン・ベースの材料、エラストマー材料、熱可塑性の材料、複合材、他の適切なタイプの材料、又は、それらの組み合わせを備えてもよい。いくつかの実施形態では、インサート１４０の第１のコンポーネント２４２の弾性的に変形可能な材料は、粉末にされた金属と混合された熱可塑性のエラストマー又は熱可塑性のポリウレタンをさらに備えてもよい。多くの実施形態では、粉末にされた金属は、インサート１４０の重み付け特性を変化させるために使用されてもよい。
【００４１】
いくつかの実施形態では、第１のコンポーネント２４２の材料、及び、リテイナー２４４の材料は、互いに異なっていてもよい。他の実施形態では、第１のコンポーネント２４２の材料、及び、リテイナー２４４の材料は、同じ材料を備えてもよい。いくつかの実施形態では、第１のコンポーネント２４２の材料、及び、リテイナー２４４の材料は、それぞれ、ゴルフクラブヘッド１００の材料よりも密度が高くてもよい。他の実施形態では、第１のコンポーネント２４２の材料、及び、リテイナー２４４の材料は、ゴルフクラブヘッド１００の材料密度と同じ密度であるか、又は、ゴルフクラブヘッド１００の材料密度よりも低い密度であってもよい。
【００４２】
２．ポストを備えたインサート
本明細書では、キャビティ４１６を備えることができるゴルフクラブヘッド４００が説明されている。下記に説明されているように、キャビティ４１６は、インサート４４０を受容するように構成されていてもよい。キャビティ４１６は、フェイスサイド壁４２０と、フェイスサイド壁４２０に対向するリアサイド壁４２２と、底部壁４２４と、底部壁４２４から延在するポスト５１９と、を備えてもよい。インサート４４０は、第１のコンポーネント５４２及びリテイナー５４４を備えてもよい。第１のコンポーネント５４２は、リテイナー５４４を受容するように構成されている。リテイナー５４４は、形状がワッシャー状になっており、ボア５６８と、ボア５６８から平面的に延在するタブ６４８と、を備えてもよい。インサート４４０がキャビティ４１６内に配置されているときに、キャビティ４１６のポスト５１９は、ボア５６８内に受容されるように構成されており、リテイナー５４４のタブ６４８を押し上げる。タブ６４８の上向きの配向は、ポスト５１９に対して上向きの力を生成する。タブ６４８によってポスト５１９にかかる上向きの力は、インサート４４０をキャビティ４１６内に固定する。キャビティ４１６の壁に対するインサート４４０の表面の当接は、圧入を生成し、圧入は、インパクトの間にインサート４４０が脱落することをさらに防止する。
【００４３】
図５は、ゴルフクラブヘッド４００を図示しており、ゴルフクラブヘッド４００は、図１のゴルフクラブヘッド１００と同様であってもよい。いくつかの実施形態では、ゴルフクラブヘッド４００は、アイアンタイプのゴルフクラブヘッドであってもよい。他の実施形態では、ゴルフクラブヘッド４００は、別のタイプのゴルフクラブヘッド（例えば、ドライバータイプのクラブヘッド、フェアウェイウッドタイプのクラブヘッド、ハイブリッドタイプのクラブヘッド、ウッドタイプのクラブヘッド、ウェッジタイプのクラブヘッド、又はパタータイプのクラブヘッド）であってもよい。いくつかの実施形態では、ゴルフクラブヘッド４００は、ストライクフェイス４０２と、ストライクフェイス４０２に対向するバックフェイス４０４と、ヒール領域４０６と、ヒール領域４０６に対向するトウ領域４０８と、ソール４１２と、リア部４１４と、備えてもよい。ゴルフクラブヘッド４００は、さらに、バックフェイス４０４とリア部４１４との間に設けられているキャビティ４１６を備えてもよい。いくつかの実施形態では、ゴルフクラブヘッド４００は、ホーゼルを備えてもよく、ホーゼルは、他の実施形態では、省略されてもよい。多くの実施形態では、リア部４１４は、伝統的なマッスルバック・アイアン・ゴルフクラブヘッドと同様に見えるように設計されてもよい。例えば、多くのマッスルバック・アイアンは、ゴルフクラブヘッドのフルバック部又はフルリア部を有している。マッスルバック・アイアンは、非マッスルバック・アイアンとは異なっている。非マッスルバック・アイアンでは、ゴルフクラブヘッドのリア又はバックは、マッスルバック、フルバック、及び／又はリア部分を少なくとも部分的に除去するためにくりぬかれている。いくつかの実施形態では、リア部４１４は、重い外見又は厚い外見をゴルフクラブヘッドに提供するように設計され得る。
【００４４】
断面線６−６における図５のゴルフクラブヘッドの図が、図６に図示されている。キャビティ４１６は、バックフェイス４０４の一部分を備え得るフェイスサイド壁４２０と、フェイスサイド壁４２０に対向するリアサイド壁４２２と、フェイスサイド壁４２０とリアサイド壁４２２との間に配置されている底部壁４２４と、を備えてもよい。
【００４５】
ゴルフクラブヘッド４００のキャビティ４１６は、さらに、幅４１８を備えてもよい。キャビティ４１６の幅４１８は、フェイスサイド壁４２０からリアサイド壁４２２まで測定される距離である。いくつかの実施形態では、キャビティ４１６の幅４１８は、０．１０インチ〜０．５０インチ、０．１０インチ〜０．２５インチ、０．２５インチ〜０．５０インチ、０．２０インチ〜０．４０インチ、０．１５インチ〜０．３５インチ、又は、０．３０インチ〜０．４５インチの範囲であってもよい。例えば、キャビティ４１６の幅４１８は、０．１０インチ、０．１４インチ、０．１８インチ、０．２２インチ、０．２６インチ、０．３０インチ、０．３４インチ、０．３８インチ、０．４２インチ、０．４６インチ、又は、０．５０インチであってもよい。
【００４６】
ゴルフクラブヘッド４００のキャビティ４１６は、さらに、底部壁４２４から延在するポスト５１９を備えてもよいが、任意の形状（例えば、シリンダ、正方形、長方形、ひし形等）であってもよい。また、ポスト５１９は、ロッドとも称され得る。いくつかの実施形態では、ポスト５１９は、底部壁４２４の中心から、フェイスサイド壁４２０とリアサイド壁４２２との間、及び、ヒール領域４０６とトウ領域４０８との間に延在している。他の実施形態では、ポスト５１９は、底部壁４２４からどこかに延在することができる。例えば、ポスト５１９は、トウ領域４０８の近くの底部壁４２４から、ヒール領域４０６の近くの底部壁４２４から、フェイスサイド壁４２０の近くの底部壁４２４から、リアサイド壁４２２の近くの底部壁４２４から、又は、底部壁４２４の上の任意の他の場所から、延在してもよい。いくつかの実施形態では、キャビティ４１６は、２つ以上のポスト５１９を備えてもよい。いくつかの実施形態では、キャビティ４１６は、１つ、２つ、３つ、４つ、５つ、６つ、７つ、又は、８つのポスト５１９を備えてもよい。
【００４７】
他の実施形態では、リア部４１４の中にボイドが存在しており、ポスト５１９は、キャビティ４１６のフェイスサイド壁４２０から延在してもよい。いくつかの実施形態では、フェイスサイド壁４２０から延在するポスト５１９は、ヒール領域４０６の近く、又は、トウ領域４０８の近くで、中央に配置されてもよい。いくつかの実施形態では、キャビティ４１６は、２つ以上のポスト５１９を備えてもよい。いくつかの実施形態では、キャビティ４１６は、１つ、２つ、３つ、４つ、５つ、６つ、７つ、又は、８つのポスト５１９を備えてもよい。１つの例において、１つのポスト５１９は、ヒール領域４０６の近くのフェイスサイド壁４２０から延在してもよく、第２のポストは、トウ領域４０８の近くのフェイスサイド壁４３０から延在してもよい。
【００４８】
ポスト５１９は、ポスト高さ５４３を備えてもよい。ポスト高さ５４３は、ポスト５１９が底部壁４２４からキャビティ４１６内に延びる距離として測定される。いくつかの実施形態では、ポスト高さ５４３は、０．１２インチ〜０．４０インチ、０．１２インチ〜０．１５インチ、０．１５インチ〜０．２０インチ、０．２０インチ〜０．２５インチ、０．２５インチ〜０．３０インチ、０．０３０インチ〜０．３５インチ、０．３５インチ〜０．４０インチ、０．１５インチ〜０．２５インチ、又は、０．３０インチ〜４０インチの範囲であってもよい。例えば、ポスト高さ５４３は、０．１２インチ、０．１３インチ、０．１４インチ、０．１５インチ、０．１６インチ、０．１７インチ、０．１８インチ、０．１９インチ、０．２０インチ、０．２１インチ、０．２２インチ、０．２３インチ、０．２４インチ、０．２５インチ、０．２６インチ、０．２７インチ、０．２８インチ、０．２９インチ、０．３０インチ、０．３１インチ、０．３２インチ、０．３３インチ、０．３４インチ、０．３５インチ、０．３６インチ、０．３７インチ、０．３８インチ、０．３９インチ、又は、０．４０インチであってもよい。
【００４９】
ポスト５１９は、さらに、直径５４５を備えてもよい。ポスト５１９の直径５４５は、０．０５０インチ〜０．１１５インチ、０．０５０インチ〜０．０６５インチ、０．０６５インチ〜０．８０インチ、０．０８０インチ〜０．０９５インチ、０．０９５インチ〜０．１１０インチ、０．１０５インチ〜０．１１５インチ、０．０６５インチ〜０．０９５インチ、又は、０．０９５インチ〜０．１１５インチの範囲であってもよい。例えば、ポスト５１９の直径５４５は、０．０５０インチ、０．０６０インチ、０．０７０インチ、０．０８０インチ、０．０９０インチ、０．１０インチ、又は、０．１１５インチであってもよい。
【００５０】
多くの実施形態では、キャビティ４１６は、インサート４４０を受容するように構成されてもよい。多くの実施形態では、インサート４４０は、インサート１４０（図１、図３、図４Ａ及び図４Ｂ）と同様であってもよい。インサート４４０は、第１のコンポーネント又はボディ５４２、及び、第２のコンポーネント又はリテイナー５４４を備えてもよい。
【００５１】
図７Ａに図示されているように、第１のコンポーネント５４２は、バック表面５５０と、バック表面５５０に対向するフロント表面５５２と、底部表面５５４と、底部表面５５４に対向する頂部表面５５６と、ヒール領域サイドと、ヒール領域サイドに対向するトウ領域サイドと、備えてもよい。インサート４４０がキャビティ４１６内に配置されているときに、第１のコンポーネント５４２のバック表面５５０は、キャビティ４１６のリアサイド壁４２２に隣接するように構成されている。
【００５２】
インサート４４０の第１のコンポーネント５４２は、さらに、幅５６２を備えてもよい。幅５６２は、バック表面５５０からフロント表面５５２まで測定される距離である。いくつかの実施例において、第１のコンポーネント５４２の幅５６２は、キャビティ４１６の幅４１８と略同じか、又は、わずかに小さくてもよい。他の実施形態では、第１のコンポーネント５４２の幅５６２は、０．１０インチ〜０．５０インチ、０．１０インチ〜０．２５インチ、０．２５インチ〜０．５０インチ、０．２０インチ〜０．４０インチ、０．１５インチ〜０．３５インチ、又は、０．３０インチ〜０．４５インチの範囲であってもよい。他の実施形態では、第１のコンポーネント５４２の幅５６２は、少なくとも０．１０インチ、少なくとも０．１４インチ、少なくとも０．１８インチ、少なくとも０．２２インチ、少なくとも０．２６インチ、少なくとも０．３０インチ、少なくとも０．３４インチ、少なくとも０．３８インチ、少なくとも０．４２インチ、少なくとも０．４６インチ、又は、少なくとも０．５０インチであってもよい。１つの実施形態によれば、第１のコンポーネント５４２の幅５６２は０．２インチである。
【００５３】
いくつかの実施形態では、第１のコンポーネント５４２のフロント表面５５２は、インサートキャビティ５５８を備えてもよく、インサートキャビティ５５８は、インサートのリテイナー５４４を受容するように構成されている第１のコンポーネント５４２の一部分の中へ延在している。他の実施形態では、第１のコンポーネント５４２の底部表面５５４は、キャビティ４１６のポスト５１９を受容するように構成されているインサートキャビティ５５８を備えてもよい。他の実施形態では、第１のコンポーネント５４２は、第１のコンポーネント５４２のフロント表面５５２及び底部表面５５４上にインサートキャビティ５５８を備えてもよく、インサートキャビティ５５８は、リテイナー５４４及びポスト５１９の両方を受容するように構成されている。いくつかの実施形態では、インサートキャビティ５５８は、キャビティ４１６のポスト５１９の断面形状に相補的な断面形状を備えてもよい。他の実施形態では、インサートキャビティ５５８の断面形状は、ポスト５１９及びリテイナー５４４の相補的な断面形状を備えてもよく、インサートキャビティ５５８は、ポスト５１９及びリテイナー５４４の両方を受容するように構成されてもよい。他の実施形態では、インサートキャビティ５５８の断面形状は、ポスト５１９及び第２のコンポーネント５４４の断面形状とは異なっていてもよい。他の実施形態では、第１のコンポーネント５４２のフロント表面５５２及び底部表面５５４は、１つ、２つ、３つ、又は、４つのインサートキャビティ５５８を備えてもよい。
【００５４】
インサート４４０の第１のコンポーネント５４２は、さらに、レッジ５６０を備えてもよい。第１のコンポーネント５４２のレッジ５６０は、バック表面５５０に隣接し、及び、バック表面５５０に対して垂直に、頂部表面５５６から延在している。第１のコンポーネント５４２のレッジ５６０は、第１のコンポーネント５４２のヒール領域サイドからトウ領域サイドへ均一に延在し、真っ直ぐなレッジを生成してもよい。他の実施形態では、レッジ部５６０は、第１のコンポーネント５４２のヒール領域サイドからトウ領域サイドへ様々な長さに延在してもよい。インサート４４０がキャビティ４１６内に配置されているときに、頂部表面５５６のレッジ５６０が、リア部４１４の頂部表面４０９に当接する。頂部表面５５６のレッジ５６０は、フィッティング又は調節の間に、製造業者がキャビティ４１６からインサート４４０を除去することを可能にするレバレッジ・レッジとして作用することができる。
【００５５】
インサートの第１のコンポーネント５４２は、さらに、マスを備えてもよい。第１のコンポーネント５４２のマスは、０．０２グラム〜３２グラム、０．０２グラム〜０．４０グラム、０．０４０グラム〜０．８０グラム、０．０８０グラム〜３グラム、３グラム〜９グラム、９グラム〜１５グラム、１５グラム〜２１グラム、２１グラム〜２７グラム、２７グラム〜３２グラム、０．０２グラム〜１０グラム、１０グラム〜２０グラム、又は、２０グラム〜３２グラムであってもよい。例えば第１のコンポーネント５４２のマスは、０．０２グラム、０．５０グラム、１グラム、５グラム、１０グラム、１５グラム、２０グラム、２５グラム、３０グラム、又は、３２グラムであってもよい。
【００５６】
インサート４４０のリテイナー５４４は、第１のコンポーネント５４２によって受容されるように構成されている。リテイナー５４４は、第１のコンポーネント５４２のフロント表面５５２上に配置されているインサートキャビティ５５８によって、第１のコンポーネント５４２内に受容されてもよい。図７Ｂに図示されているように、リテイナー５４４は、ワッシャー状の形状を備えてもよく、頂部表面５６４、底部表面５６６、及び、ボア５６８を備えてもよい。
【００５７】
インサート４４０がキャビティ４１６内に配置されているときに、リテイナー５４４のボア５６８は、キャビティのポスト５１９を受容するように構成されている。ボア５６８は、タブ６４８を備えてもよい。タブ６４８は、１つ、２つ、３つ、４つ、５つ、６つ、７つ、又は、８つのタブ６４８であってもよい。これらの実施形態では、ボアは、さらに、それぞれのタブ６４８同士の間に配設されているキャビティを備えてもよい。いくつかの実施形態では、タブ６４８は、互いから等距離に配置されてもよい。他の実施形態では、タブ６４８は、互いから任意の距離に間隔を離して配置されてもよい。多くの実施形態では、タブ６４８は、頂部表面５６４及び底部表面５６６と同一平面上に又は平面的に配向されてもよい。他の実施形態では、リテイナー５４４が第１のコンポーネント５４２内に配置されており、インサート４４０がキャビティ４１６内に配置されているときに、リテイナー５４４のキャビティは、ボア５６８がポスト５１９を受容するときに、タブ６４８が第１のコンポーネント５４２の頂部表面５５６に向けて上向きに曲がることを可能にする。タブ６４８の上向きの曲げは、ポスト５１９に対して上向きの力及び摩擦を生成し、リテイナー５４４、ひいては、インサート４４０を、キャビティ４１６の中に下向きに押し込む。上向きの力及び摩擦は、インパクトの間のインサート４４０の脱落を防止するポスト５１９上のフックのように作用する。
【００５８】
リテイナー５４４は、さらに、厚さ６４５を備えてもよい。リテイナー５４４の厚さ６４５は、リテイナー５４４の頂部表面５６４から底部表面５６６まで測定される距離である。いくつかの実施形態では、厚さ６４５は、０．０００２インチ〜０．４００インチの範囲であってもよい。他の実施形態では、厚さ６４５は、０．０１０インチ〜０．２０インチ、０．０００２インチ〜０．０１０インチ、０．０１０インチ〜０．０８０インチ、０．０５０インチ〜０．１５０インチ、０．１２０インチ〜０．２５０インチ、０．２００インチ〜０．３５０インチ、又は、０．３００インチ〜０．４００インチであってもよい。例えば、厚さ６４５は、０．００１インチ、０．００２インチ、０．００３インチ、０．００４インチ、０．００５インチ、０．００６インチ、０．００７インチ、０．００８インチ、０．００９インチ、０．０１インチ、０．０２インチ、０．０３インチ、０．０４インチ、０．０５インチ、０．０６インチ、０．０７インチ、０．０８インチ、０．０９インチ、０．１インチ、０．２インチ、０．３インチ、０．３５インチ、又は、０．４インチであってもよい。
【００５９】
リテイナー５４４は、さらに、マスを備えてもよい。リテイナー５４４のマスは、０．０２グラム〜０．１５グラム、０．０２グラム〜０．０７グラム、０．０７グラム〜０．１５グラム、０．０２グラム〜０．０６グラム、０．０４グラム〜０．０８グラム、０．０６グラム〜０．１０グラム、０．０７グラム〜０．１２グラム、又は、０．０８グラム〜０．０１５グラムの範囲であってもよい。例えば、リテイナー５４４のマスは、０．０２グラム、０．０４グラム、０．０６グラム、０．０８グラム、０．１０グラム、０．１２グラム、０．１４グラム、又は、０．１５グラムであってもよい。
【００６０】
インサート４４０を形成するために、リテイナー５４４は、第１のコンポーネント５４２のフロント表面５５２上のインサートキャビティ５５８内に配置される。インサート４４０は、ゴルフクラブヘッド４００のキャビティ４１６内に配置してもよく、第１のコンポーネント５４２の底部表面５５４上に配置されているインサートキャビティ５５８が、キャビティ４１６のポスト５１９を受容するようになっている。ポスト５１９は、第１のコンポーネント５４２のインサートキャビティ５５８を通って、及び、リテイナー５４４のボア５６８を通って延在する。第１のコンポーネント５４２のフロント表面５５２は、キャビティ４１６のフェイスサイド壁４２０に当接し、第１のコンポーネント５４２のバック表面５５０は、キャビティ４１６のリアサイド壁４２２に当接する。この当接が、圧入を生成し、インパクトの間に脱落しないように、インサート４４０をさらに固定する。いくつかの実施形態では、接着剤が、キャビティ４１６の中にインサート４４０を固定することを支援するために使用されてもよい。他の実施形態では、インサート４４０をキャビティ４１６の中に固定するために、又は、インサート４４０をキャビティ４１６の中に固定することを支援するために、接着剤は使用されない。
【００６１】
複数の実施形態では、リテイナー５４４は、ゴルフクラブヘッド４００のキャビティ４１６の少なくとも一部分と接触する。多くの実施形態では、リテイナー５４４は、キャビティ４１６のフェイスサイド壁４２０と接触しない。むしろ、リテイナー５４４は、ポスト５１９と接触していてもよい。
【００６２】
他の実施形態では、インサート４４０は、第１のコンポーネント５４２と、リテイナー５４４と、第３のコンポーネントと、を備えてもよく、第３のコンポーネントは、リテイナー５４４と同様であってもよい。これらの及び他の実施形態では、第３のコンポーネントは、リテイナー５４４と同様に、ワッシャー状の形状を備えてもよい。多くの実施形態では、ポスト５１９の少なくとも一部分は、インサートキャビティ５５８内の第３のコンポーネント及びリテイナー５４４と接触していてもよい。いくつかの実施形態では、リテイナー５４４は、第３のコンポーネントと同じサイズであってもよい。他の実施形態では、リテイナー５４４は、第３のコンポーネントよりもサイズが大きくてもよいし、又は、第３のコンポーネントよりもサイズが小さくてもよい。他の実施形態では、リテイナー５４４及び第３のコンポーネントは、互いに異なる形状を備えてもよい。
【００６３】
他の実施形態では、第１のインサートの第１のコンポーネント５４２は、２つ以上のインサートキャビティ５５８を備えてもよく、２つ以上のポスト５１９を備えるキャビティ４１６内に配置されることとなる。多くの実施形態では、インサートキャビティ５５８の数及び位置は、キャビティ４１６のポスト５１９の数と対応してもよい。他の実施形態では、キャビティ４１６のポスト５１９の数は、第１のコンポーネント５４２のインサートキャビティ５５８の数よりも少なくてもよい。
【００６４】
多くの実施形態では、インサート４４０を形成する第１のコンポーネント５４２とリテイナー５４４との組み合わせは、マスを備えてもよい。インサート４４０のマスは、０．５グラム〜３６グラム、０．５グラム〜４グラム、４グラム〜８グラム、８グラム〜１２グラム、１２グラム〜１６グラム、１６グラム〜２０グラム、２０グラム〜２４グラム、２４グラム〜２８グラム、２８グラム〜３２グラム、３２グラム〜３６グラム、４グラム〜１６グラム、１６グラム〜２４グラム、又は、２４グラム〜３６グラムの範囲であってもよい。例えば、インサート４４０のマスは、０．０２グラム、０．５０グラム、１グラム、５グラム、１０グラム、１５グラム、２０グラム、２５グラム、３０グラム、又は、３６グラムであってもよい。
【００６５】
多くの実施形態では、図６のインサート４４０の第１のコンポーネント５４２は、さらに、弾性的に変形可能な材料を備えてもよく、インサート１４０の第１のコンポーネント２４２（図４Ａ）の材料と同様であってもよい。多くの実施形態では、第１のコンポーネント５４２の弾性的に変形可能な材料は、ウレタン材料、ウレタン・ベースの材料、エラストマー材料、熱可塑性の材料、複合材、他の適切なタイプの材料、又は、それらの組み合わせを備えてもよい。いくつかの実施形態では、インサート４４０の第１のコンポーネント５４２の弾性的に変形可能な材料は、粉末にされた金属と混合された熱可塑性のエラストマー又は熱可塑性のポリウレタンを備えてもよい。多くの実施形態では、粉末にされた金属は、インサート４４０の重み付け特性を変化させるために使用されてもよい。
【００６６】
多くの実施形態では、インサート４４０のリテイナー５４４は、塑性変形可能な材料を備えてもよい。多くの実施形態では、リテイナー５４４の塑性変形可能な材料は、インサート１４０のリテイナー２４４（図４Ｂ）の材料と同様であってもよい。いくつかの実施形態では、リテイナー５４４の塑性変形可能な材料は、金属、シム・ストック、スチール、アルミニウム、銅、他の金属、金属合金、プラスチック、又は、複合材料を備えてもよい。様々な実施形態では、リテイナー５４４は、弾性的に変形可能な材料、又は、形状記憶金属もしくは金属合金、例えば、ニッケル・チタンなどを備えてもよい。いくつかの実施形態では、リテイナー５４４の硬度は、Shore A 55からShore A 70の範囲にあってもよい。
【００６７】
いくつかの実施形態では、インサート４４０の第１のコンポーネント５４２の材料、及び、リテイナー５４４の材料は、互いに異なっていてもよい。他の実施形態では、第１のコンポーネント５４２の材料、及び、リテイナー５４４の材料は、同じ材料を備えてもよい。いくつかの実施形態では、第１のコンポーネント５４２の材料、及び、リテイナー５４４の材料は、それぞれ、ゴルフクラブヘッド４００の材料よりも密度が高くてもよい。他の実施形態では、第１のコンポーネント５４２の材料、及び、リテイナー５４４の材料は、ゴルフクラブヘッド４００の材料密度と同じ密度であるか、又は、ゴルフクラブヘッド４００の材料密度よりも低い密度であってもよい。
【００６８】
Ｂ．フレックススロット・インサート
１．単一のフレックススロット
本明細書では、キャビティ７１６を備えることができるゴルフクラブヘッド７００が説明されている。キャビティ７１６は、インサート７４０を受容するように構成されていてもよい。下記に説明されているように、キャビティ７１６は、フェイスサイド壁７２０と、フェイスサイド壁７２０に対向するリアサイド壁７２２と、底部壁７２４と、を備えてもよい。インサート７４０は、フロント表面、バック表面７５４、及び、底部表面７６０を備えてもよい。インサート７４０は、さらに、底部表面７６０上に配置されているフレックススロット８８０を備えてもよい。フレックススロット８８０は、インサート７４０がゴルフクラブヘッド７００のキャビティ７１６内に配置される前に圧縮されてもよい。インサート７４０がキャビティ７１６内に配置されているときに、フレックススロット８８０は、そのオリジナル形状に拡大し、インサート７４０のフロント表面、バック表面７５４、及び、底部表面７６０を、キャビティ７１６のフェイスサイド壁７２０、リアサイド壁７２２、及び、底部壁７２４に当接させる。インサート７４０の表面のキャビティ７１６の壁への当接は、インサートの圧入を生成し、インパクトの間の脱落を防止する。
【００６９】
図８は、ゴルフクラブヘッド７００を図示しており、ゴルフクラブヘッド７００は、図１のゴルフクラブヘッド１００、及び、図４のゴルフクラブヘッド４００と同様であってもよい。いくつかの実施形態では、ゴルフクラブヘッド７００は、アイアンタイプのゴルフクラブヘッドであってもよい。他の実施形態では、ゴルフクラブヘッド７００は、別のタイプのゴルフクラブヘッド（例えば、ドライバータイプのクラブヘッド、フェアウェイウッドタイプのクラブヘッド、ハイブリッドタイプのクラブヘッド、ウッドタイプのクラブヘッド、ウェッジタイプのクラブヘッド、又はパタータイプのクラブヘッド）であってもよい。いくつかの実施形態では、ゴルフクラブヘッド７００は、ストライクフェイス７０２と、ストライクフェイス７０２に対向するバックフェイス７０４と、ヒール領域７０６と、ヒール領域７０６に対向するトウ領域７０８と、ソール７１２と、リア部７１４と、を備えてもよい。ゴルフクラブヘッド７００は、さらに、バックフェイス７０４とリア部７１４との間に配置されているキャビティ７１６を備えてもよい。いくつかの実施形態では、ゴルフクラブヘッド７００は、ホーゼルを備えてもよく、ホーゼルは、他の実施形態では、省略されてもよい。多くの実施形態では、リア部７１４は、伝統的なマッスルバック・アイアン・ゴルフクラブヘッドと同様に見えるように設計されてもよい。例えば、多くのマッスルバック・アイアンは、ゴルフクラブヘッドのフルバック部又はフルリア部分を有している。マッスルバック・アイアンは、非マッスルバック・アイアンとは異なっている。非マッスルバック・アイアンでは、ゴルフクラブヘッドのリア又はバックは、マッスルバック、フルバック、及び／又はリア部分を少なくとも部分的に除去するためにくりぬかれている。いくつかの実施形態では、リア部分７１４は、重い外見又は厚い外見をゴルフクラブヘッドに提供するように設計され得る。
【００７０】
断面線９−９における図８のゴルフクラブヘッド７００の図が、図９に図示されている。図８の線９−９に沿った図９に見られるキャビティ７１６は、ゴルフクラブヘッド１００のキャビティ１１６（図２及び図３）、及び、ゴルフクラブヘッド４００のキャビティ４１６（図６）と同様であってもよい。フェイスサイド壁７２０は、バックフェイス７０４の一部分を構成してもよく、第１のサイド壁７２０に対向するリアサイド壁７２２、及び、第１のサイド壁７２０と第２のサイド壁７２２との間に配置されている底部壁７２４は、キャビティ７１６を形成している。
【００７１】
多くの実施形態では、キャビティ７１６は、インサート７４０、９４０を受容するように構成されていてもよい。多くの実施形態では、インサート７４０、９４０は、ストライクフェイス７０２上でのゴルフボールのインパクトの後に、ゴルフクラブヘッド７００の振動を減衰させることができる。いくつかの実施形態では、インサート７４０、９４０は、フィラーインサート、ウェイト部材、又は、カスタム・チューニング・ポート（ＣＴＰ）ウェイトを備えてもよい。
【００７２】
図１０は、インサート７４０を図示している。インサート７４０は、ゴルフクラブヘッド７００のヒール領域７０６に近接する第１の端部７５０と、ゴルフクラブヘッド７００のトウ領域７０８に近接する第２の端部７５２と、バック表面７５４と、バック表面７５４に対向するフロント表面と、頂部表面７５８と、頂部表面７５８に対向する底部表面７６０と、を備えてもよい。インサート７４０がキャビティ７１６内に配置されているときに、インサート７４０のバック表面７５４は、キャビティ７１６のリアサイド壁７２２に隣接するように構成されている。
【００７３】
インサート７４０は、さらに、リップ８８２を備えてもよい。多くの実施形態では、リップ８８２は、インサート７４０の頂部表面７５８から突出してもよいし、インサート７４０のバック表面７５４に対して垂直に、及び、インサート７４０のバック表面７５４に隣接して延在してもよい。多くの実施形態では、リップ８８２は、インサート７４０の一部分に沿って延在してもよい。例えば、リップ８８２は、第１の端部７５０、バック表面７５４、及び、第２の端部７５２に沿って延在してもよい。他の実施形態では、リップ８８２は、第１の端部７５０、第２の端部７５２、バック表面７５４、フロント表面、又は、それらの任意の組み合わせに沿って延在してもよい。インサート７４０がキャビティ７１６内に配置されているときに、頂部表面７５８のリップ部８８２は、リア部７１４の頂部表面７０９に当接している。頂部表面７５８のリップ８８２は、フィッティング又は調節の間に、製造業者がキャビティ７１６からインサート７４０を除去することを可能にするレバレッジ・レッジとして作用することができる。
【００７４】
いくつかの実施形態では、インサート７４０は、インサート７４０上の水平方向の層に積層された、１つ、２つ、３つ、４つ、又は、５つのリップ８８２を備えてもよい。２つ以上のリップ８８２を備えるこれらの実施形態では、リップは、頂部表面７５８と底部表面７６０との間の任意の場所に配置されてもよい。頂部表面７５８から延在するリップ８８２の下方のリップ８８２は、頂部表面７５８から延在するリップ８８２よりも長さが短くなっている。インサート７４０がキャビティ７１６内に配置されているときに、頂部表面７５８から延在するリップ８８２は、リア部７１４の頂部表面７０９に当接し、残りのリップ部８８２は、キャビティ７１６の壁に対する圧入を生成する。
【００７５】
インサート７４０が２つ以上のリップ８８２を備えることができるいくつかの実施形態では、インサート７４０は、層になったリップ８８２同士の間に配置されているアンダーカット（図示せず）を備えてもよい。リップ８８２と同様に、アンダーカットは、インサート７４０の一部分の中へ延在してもよい。例えば、１つ又は複数のアンダーカットは、第１の端部７５０、バック表面７５４、第２の端部７５２、フロント表面、又は、それらの任意の組み合わせの中へ延在してもよい。いくつかの実施形態では、インサート７４０は、１つ、２つ、３つ、４つ、又は、５つのアンダーカットを備えてもよい。アンダーカットは、接着剤を保持するためのポケットとして作用する。インサート７４０が接着剤によってキャビティ７１６内に配置されている実施形態では、アンダーカットは、インパクトの間にインサート７４０が脱落しないようにする安全性の向上のために、インサート７４０と、キャビティ７１６のフェイスサイド部７２０及びリアサイド部７２２と、の間に、より多くの接着剤が配置されることを可能にする。
【００７６】
図１０に図示されているように、インサート７４０は、インサート７４０の底部表面７６０の一部分の中へ延在するフレックススロット８８０を備えてもよい。いくつかの実施形態では、フレックススロット８８０は、第１の端部７５０と第２の端部７５２との間で、底部表面７６０上の中央に配置されてもよい。他の実施形態では、フレックススロット８８０は、第１の端部７５０の近くに、又は、第２の端部７５２の近くに配置されてもよい。フレックススロット８８０は、三角形の形状を備えてもよい。他の実施形態では、フレックススロット８８０は、正方形、長方形、円形、又は、五角形などのような、任意の形状を備えてもよい。いくつかの実施形態では、インサート７４０は、１つ、２つ、３つ、４つ、５つ、又は、６つのフレックススロット８８０を備えてもよい。これらの実施形態では、フレックススロット８８０は、互いから等距離に間隔を置いて配置可能であり、他の実施形態では、フレックススロット８８０は、互いから任意の距離に間隔を置いて配置可能である。いくつかの実施形態では、フレックススロット８８０は、インサート７４０がキャビティ７１６の中に挿入される前に曲がることを可能にし、インサート７４０がキャビティ７１６内に配置されているときに、インサート７４０がそのオリジナル形状に戻ることができるようになっている。インサート７４０がそのオリジナル形状に戻るときに、インサート７４０をキャビティ７１６の中に固定するために、キャビティ７１６のトウ−サイド壁上、及び、キャビティ７１６のヒール−サイド壁上に、力が働く。
【００７７】
インサート７４０は、さらに、リブ８８６を備えてもよい。リブ８８６は、インサート７４０のバック表面７５４上に配置されてもよい。他の実施形態では、リブ８８６は、インサート７４０のフロント表面上に配置されるか、又は、バック表面７５４及びフロント表面の組み合わせの上に配置されてもよい。リブ８８６は、さらに、第１の端部７５０の近くに、又は、第２の端部７５２の近くに配置されてもよい。また、リブ８８６は、インサート７４０の頂部表面７５８に対して垂直に（真っ直ぐ上下に）配向されてもよい。他の実施形態では、リブ８８６は、頂部表面７５８に対して異なる角度で配向されてもよい。インサート７４０は、１つ、２つ、３つ、４つ、５つ、６つ、７つ、８つ、９つ、又は、１０個のリブ部８８６を備えてもよい。これらの実施形態では、リブ８８６は、互いから等距離になっているか、又は、互いから任意の距離に間隔を置いて配置されてもよい。いくつかの実施形態では、接着剤が、キャビティ７１６の中に塗布され、インサート７４０を固定することを助ける。接着剤を用いる実施形態では、リブ８８６は、キャビティ７１６の中での圧入を生成し、それによって、インサート７４０がキャビティ７１６の中でシフトすることを防止する。
【００７８】
多くの実施形態では、インサート７４０は、マスを備えてもよい。インサート７４０のマスは、０．５グラム〜３６グラム、０．５グラム〜４グラム、４グラム〜８グラム、８グラム〜１２グラム、１２グラム〜１６グラム、１６グラム〜２０グラム、２０グラム〜２４グラム、２４グラム〜２８グラム、２８グラム〜３２グラム、３２グラム〜３６グラム、４グラム〜１６グラム、１６グラム〜２４グラム、又は、２４グラム〜３２グラムの範囲であってもよい。例えば、インサート７４０のマスは、０．０２グラム、０．５０グラム、１グラム、５グラム、１０グラム、１５グラム、２０グラム、２５グラム、３０グラム、又は、３６グラムであってもよい。
【００７９】
いくつかの実施形態では、インサート７４０は、ゴルフクラブヘッド７００のボディの材料よりも密度が高い材料を備えてもよい。他の実施形態では、インサート７４０の材料は、ゴルフクラブヘッド７００のボディの材料と同じ密度であるか、又は、ゴルフクラブヘッド７００のボディの材料よりも密度が小さくてもよい。複数の実施形態では、インサート７４０の材料は、弾性的に変形可能な材料を備えてもよいし、インサート１４０の第１のコンポーネント２４２（図４Ａ）、又は、インサート４４０の第１のコンポーネント５４２（図７Ａ）と同様であってもよい。多くの実施形態では、インサート７４０の弾性的に変形可能な材料は、ポリマー、ウレタン材料、ウレタン・ベースの材料、エラストマー材料、熱可塑性の材料、他の適切なタイプの材料、複合材、又は、それらの組み合わせを備えてもよい。いくつかの実施形態では、インサート７４０の材料は、粉末にされた金属と混合された熱可塑性のエラストマー又は熱可塑性のポリウレタンを備えてもよい。多くの実施形態では、粉末にされた金属は、インサート７４０の重み付け特性を変化させるために使用されてもよい。
【００８０】
２．複数のフレックススロット
本明細書では、キャビティ７１６を備えることができるゴルフクラブヘッド７００が説明されている。キャビティ７１６は、インサート９４０を受容するように構成されていてもよい。上記に説明されているように、キャビティ７１６は、フェイスサイド壁７２０と、フェイスサイド壁７２０に対向するリアサイド壁７２２と、底部壁７２４と、を備えてもよい。図１１は、インサート９４０を図示しており、インサート９４０は、インサート７４０と同様であってもよい。インサート７４０は、フロント表面、バック表面９５４、及び、底部表面９６０を備えてもよい。インサート９４０は、さらに、底部表面９６０上に配置されている２つのフレックススロット９８０を備えてもよく、１つのフレックススロット９８０がインサート９４０の第１の端部９５０の近くにあり、第２のフレックススロット９８０がインサート９４０の第２の端部９５２の近くにある。フレックススロット９８０は、インサート９４０がゴルフクラブヘッド７００のキャビティ７１６内に配置される前に圧縮することが可能である。インサート９４０がキャビティ７１６内に配置されているときに、フレックススロット９８０は、そのオリジナル形状に拡大し、インサート９４０のフロント表面、バック表面９５４、及び、底部表面９６０を、キャビティ７１６のフェイスサイド壁７２０、リアサイド壁７２２、及び、底部壁７２４に当接させる。インサート９４０の表面のキャビティ７１６の壁部への当接は、インサートの圧入を生成し、インパクトの間の脱落を防止する。
【００８１】
インサート９４０は、ヒール領域７０６に近接する第１の端部９５０と、トウ領域７０８に近接する第２の端部９５２と、バック表面９５４と、フロント表面と、頂部表面９５８と、底部表面９６０と、を備えてもよい。インサート９４０がキャビティ７１６内に配置されているときに、バック表面９５４は、キャビティ７１６のリアサイド壁７２２に隣接するように構成されている。
【００８２】
インサート９４０は、リップ９８２を備えてもよい。いくつかの例では、リップ９８２は、インサート９４０の頂部表面９５８から突出してもよいし、インサート９４０のバック表面９５４に対して垂直に、及び、インサート９４０のバック表面９５４に隣接して延在してもよい。多くの実施形態では、リップ９８２は、インサート９４０の一部分に沿って延在してもよい。例えば、リップ９８２は、第１の端部９５０、バック表面９５４、及び、第２の端部９５２に沿って延在してもよい。他の実施形態では、リップ９８２は、第１の端部９５０、第２の端部９５２、バック表面９５４、フロント表面、又は、それらの任意の組み合わせに沿って延在してもよい。インサート９４０がキャビティ７１６内に配置されているときに、頂部表面９５８のリップ９８２は、リア部７１４の頂部表面７０９に当接している。頂部表面９５８のリップ９８２は、フィッティング又は調節の間に、製造業者がキャビティ７１６からインサート９４０を除去することを可能にするレバレッジ・レッジ部として作用することができる。
【００８３】
いくつかの実施形態では、インサート９４０は、インサート９４０上の水平方向の層の中に積層された、１つ、２つ、３つ、４つ、又は、５つのリップ９８２を備えてもよい。２つ以上のリップ９８２を含むこれらの実施形態では、リップは、頂部表面９５８と底部表面９６０との間の任意の場所に配置されてもよい。頂部表面９５８から延在するリップ９８２の下方のリップ９８２は、頂部表面９５８から延在するリップ９８２よりも長さが短くなっている。インサート９４０がキャビティ７１６内に配置されているときに、頂部表面９５８から延在するリップ９８２は、リア部７１４の頂部表面７０９に当接し、残りのリップ９８２は、キャビティ７１６の壁に対する圧入を生成する。残りのリップ９８２によって生成される圧入は、ゴルフクラブヘッド７００のキャビティ７１６の中にインサート９４０を固定することを助ける。
【００８４】
インサート９４０が複数のリップを備えることができるいくつかの実施形態では、インサートは、さらに、アンダーカット９８４を備えてもよい。多くの実施形態では、インサート９４０のアンダーカット９８４は、頂部表面９５８から延在する２つのリップ部９８２の間に配置されてもよい。他の実施形態では、アンダーカット９８４は、２つのリップ９８２の間に配置されている。リップ９８２と同様に、アンダーカット９８４は、インサート９４０の一部分に沿って延在してもよい。例えば、アンダーカット９８４は、第１の端部９５０、バック表面９５４、及び、第２の端部９５２に沿って、延在してもよい。他の実施形態では、アンダーカット９８４は、第１の端部９５０、バック表面９５４、第２の端部９５２、フロント表面、又は、それらの任意の組み合わせに沿って、延在してもよい。いくつかの実施形態では、インサート９４０は、１つ、２つ、３つ、４つ、又は、５つのアンダーカット９８４を備えてもよい。インサート９４０が接着剤によってキャビティ７１６内に配置されている実施形態では、アンダーカット９８４は、ポケットとして作用し、インパクトの間にインサート９４０が脱落しないようにする安全性の向上のために、インサート９４０と、キャビティ７１６のフェイスサイド壁７２０及びリアサイド壁７２２と、の間に、より多くの接着剤が配置されることを可能にする。
【００８５】
図１１に図示されているように、インサート９４０は、底部表面９６０の一部分の中へ延在する２つのフレックススロット９８０を備えてもよい。２つのフレックススロット９８０のうちの１つは、第１の端部９５０の近くの底部表面９６０上に配置されており、２つのフレックススロット９８０のうちの第２のフレックススロットは、第２の端部９５２の近くの底部表面９６０上に配置されている。他の実施形態では、フレックススロット９８０は、第１の端部９５０の近くで、又は、第２の端部９５２の近くで、底部表面９６０上の中央に配置されてもよい。さらに図１１に図示されているように、フレックススロット９８０は、三角形の形状を備えてもよい。他の実施形態では、フレックススロット９８０は、三角形、正方形、長方形、円形、五角形、又は、任意の他の形状などのような、任意の形状を備えてもよい。他の実施形態では、インサート９４０は、１つ、２つ、３つ、４つ、５つ、又は、６つのフレックススロット９８０を備えてもよい。これらの実施形態では、フレックススロット９８０は、互いから等距離に間隔を置いて配置されてもよいし、他の実施形態では、フレックススロット９８０は、互いから任意の距離に間隔を置いて配置されてもよい。いくつかの実施形態では、フレックススロット９８０は、インサート９４０がキャビティ７１６内に挿入される前に曲がることを可能にし、インサート９４０がキャビティ７１６内に配置されているときに、インサート９４０がそのオリジナル形状に戻ることができるようになっている。インサート９４０がそのオリジナル形状に戻るときに、インサート９４０をキャビティ７１６の中に固定するために、キャビティ７１６のトウ−サイド壁上に、及び、キャビティ７１６のヒール−サイド壁上に、力が働く。
【００８６】
図１１に図示されているように、インサート９４０は、さらに、リブ９８６を備えてもよい。いくつかの実施形態では、リブ９８６は、インサート９４０のバック表面９５４上に配置されてもよい。他の実施形態では、リブ９８６は、インサートのフロント表面上に配置されてもよいし、又は、バック表面９５４及びフロント表面の組み合わせの上に配置されてもよい。リブ９８６は、さらに、第１の端部９５０の近くに、第２の端部９５２の近くに、又は、中央に配置されてもよい。また、図１１に図示されているように、リブ９８６は、インサート９４０の頂部表面９５８に対して垂直に（真っ直ぐ上下に）配向されている。他の実施形態では、リブ部９８６は、頂部表面９５８に対して所定の角度（例えば、３０度、４５度、６０度、７５度など）で配向されてもよい。インサート９４０は、１つ、２つ、３つ、４つ、５つ、６つ、７つ、８つ、９つ、又は、１０個のリブ部９８６を備えてもよい。これらの実施形態では、リブ部９８６は、互いから等距離になっているか、又は、互いから任意の距離に間隔を置いて配置されてもよい。接着剤がキャビティ７１６の中に塗布され、インサート９４０を固定することを助ける実施形態では、少なくとも１つのリブ９８６が、圧入を生成し、それによって、インサート９４０がキャビティ７１６の中でシフトすることを防止する。
【００８７】
多くの実施形態では、インサート９４０は、マスを備えてもよい。インサート９４０のマスは、０．５グラム〜３６グラム、０．５グラム〜４グラム、４グラム〜８グラム、８グラム〜１２グラム、１２グラム〜１６グラム、１６グラム〜２０グラム、２０グラム〜２４グラム、２４グラム〜２８グラム、２８グラム〜３２グラム、３２グラム〜３６グラム、４グラム〜１６グラム、１６グラム〜２４グラム、又は、２４グラム〜３２グラムの範囲であってもよい。例えば、インサート９４０のマスは、０．０２グラム、０．５０グラム、１グラム、５グラム、１０グラム、１５グラム、２０グラム、２５グラム、３０グラム、又は、３６グラムであってもよい。
【００８８】
いくつかの実施形態では、インサート９４０は、ゴルフクラブヘッド７００のボディの材料よりも密度が高い材料を備えてもよい。他の実施形態では、インサート９４０の材料は、ゴルフクラブヘッド７００のボディの材料の密度と同じ密度であるか、又は、ゴルフクラブヘッド７００のボディの材料の密度よりも密度が小さくなっていてもよい。複数の実施形態では、インサート９４０の材料は、弾性的に変形可能な材料を備えてもよく、インサート１４０の第１のコンポーネント２４２（図４Ａ）、インサート４４０の第１のコンポーネント５４２（図７Ａ）、又は、インサート７４０と同様であってもよい。多くの実施形態では、インサート９４０の弾性的に変形可能な材料は、ポリマー、ウレタン材料、ウレタン・ベースの材料、エラストマー材料、熱可塑性の材料、他の適切なタイプの材料、複合材、又は、それらの組み合わせを備えてもよい。いくつかの実施形態では、インサート７４０の材料は、粉末にされた金属と混合された熱可塑性のエラストマー又は熱可塑性のポリウレタンを備えてもよい。多くの実施形態では、粉末にされた金属は、インサート９４０の重み付け特性を変化させるために使用されてもよい。
【００８９】
Ｃ．摩擦リテンションインサート
１．垂直方向のスリット
本明細書では、キャビティ１２１６を備えることができるゴルフクラブヘッド１２００が説明されている。下記に説明されているように、キャビティ１２１６は、底部壁１２１８及びサイド壁１２２０を備えてもよく、分割部１２２２が、底部壁１２１８から延在してもよい。分割部１２２２は、アパーチャー１２２８を備えてもよい。キャビティ１２１６は、インサート１２４０を受容するように構成されている。インサート１２４０は、スリット１２６０によって分離されているバック部分１２５２、フロント部分１２６２、及び、インサートアパーチャー１２７０を備えてもよく、インサートアパーチャー１２７０は、バック部分１２５２及びフロント部分１２６２を同心に貫通している。インサート１２４０のスリット１２６０は、分割部１２２２を受容してもよい。バック部分１２５２及びフロント部分１２６２は、分割部１２２２の両方の側に配置されている。締結具１２７４は、インサートアパーチャー１２７０、及び、分割部１２２２のアパーチャー１２２８を通って配置され、分割部１２２２に対してインサート１２４０を圧縮することが可能であり、インサート１２４０の表面と分割部１２２２の表面との間に表面摩擦が生成される。表面摩擦は、インサート１２４０をキャビティの中に固定することを助け、脱落を防止する。
【００９０】
図１２は、ゴルフクラブヘッド１２００を図示しており、ゴルフクラブヘッド１２００は、ゴルフクラブヘッド１００、４００、及び、７００と同様であってもよい。いくつかの実施形態では、ゴルフクラブヘッド１２００は、アイアンタイプのゴルフクラブヘッドであることが可能である。他の実施形態では、ゴルフクラブヘッド１２００は、別のタイプのゴルフクラブヘッド（例えば、ドライバータイプのクラブヘッド、フェアウェイウッドタイプのクラブヘッド、ハイブリッドタイプのクラブヘッド、ウッドタイプのクラブヘッド、ウェッジタイプのクラブヘッド、又は、パタータイプのクラブヘッド）であってもよい。いくつかの実施形態では、ゴルフクラブヘッド１２００は、ストライクフェイス１２０２と、ストライクフェイス１２０２に対向するバックフェイス１２０４と、ヒール領域１２０６と、ヒール領域１２０６に対向するトウ領域１２０８と、ソール１２１２と、リア部１２１４と、を備えてもよい。ゴルフクラブヘッド１２００は、さらに、バックフェイス１２０４とリア部１２１４との間に配置されているキャビティ１２１６を備えてもよい。
【００９１】
キャビティ１２１６は、底部壁１２１８と、サイド壁１２２０と、を備えてもよい。いくつかの実施形態では、サイド壁１２２０は、ゴルフクラブヘッド１２００のバックフェイス１２０４からオフセットされている。他の実施形態では、サイド壁１２２０は、バックフェイス１２０４の一部分を構成してもよい。多くの実施形態では、ゴルフクラブヘッド１２００は、さらに、キャビティ１２１６の底部壁１２１８から延在する分割部１２２２を備えてもよい。分割部１２２２は、ヒール領域１２０６からトウ領域１２０８に向けて、キャビティ１２１６の全体長さにわたって延在してもよい。他の実施形態では、分割部１２２２は、キャビティ１２１６の長さの一部分に延在してもよい。分割部１２２２の高さは、最大でキャビティ１２１６の高さまで延在してもよい。いくつかの実施形態では、分割部１２２２は、キャビティ１２１６のサイド壁１２２０と平行になっていてもよく、他の実施形態では、分割部１２２２は、キャビティ１２１６のサイド壁１２２０に対して所定の角度で配向されてもよい。分割部１２２２は、キャビティ１２１６を、サイド壁１２２０に隣接する第１のポケット１２１１と、第１のポケット１２１１の他方の側の第２のポケット１２１３と、に分離している。分割部１２２２がサイド壁１２２０に対して所定の角度で配向されているいくつかの実施形態では、第１のポケット１２１１は、トウ端部１２０８において、幅がより大きくなっている。分割部１２２２がサイド壁１２２０に対して所定の角度で配向されている他の実施形態では、第１のポケット１２１１が、ヒール端部１２０６において、幅がより大きくなっている。
【００９２】
分割部１２２２は、さらに、厚さ１２２４を備えてもよい。分割部１２２２の厚さ１２２４は、ヒール端部１２０６からトウ端部１２０８に向けて延在する分割部１２２２の長さを通して、一定のままである。他の実施形態では、分割部１２２２の厚さ１２２４は、ゴルフクラブヘッド１２００のヒール端部１２０６からゴルフクラブヘッド１２００のトウ端部１２０８に向けて幅が変化してもよい。分割部１２２２の厚さ１２２４は、さらに、底部壁１２１８からゴルフクラブヘッド１２００の上部に向けて一定のままであってもよい。いくつかの実施形態では、分割部１２２２の厚さ１２２４は、０．０７０インチである。他の実施形態では、分割部１２２２の厚さ１２２４は、０．０５０インチ〜０．１００インチ、０．０５５インチ〜０．０７５インチ、０．０６０インチ〜０．０８０インチ、０．０６５インチ〜０．０８５インチ、０．０７０インチ〜０．０９０インチ、又は、０．０７５インチ〜０．０９５インチの範囲であってもよい。例えば、分割部１２２２の厚さ１２２４は、０．０５０インチ、０．０５５インチ、０．０６０インチ、０．０６５インチ、０．０７０インチ、０．０７５インチ、０．０８０インチ、０．０８５インチ、０．０９０インチ、０．０９５インチ、又は０．１００インチであってもよい。
【００９３】
また、分割部１２２２は、アパーチャー１２２８を備えてもよい。１つの実施形態では、アパーチャー１２２８は、分割部１２２２の中心に、又は、分割部１２２２の中心の近くに配置されている。他の実施形態では、アパーチャー１２２８は、任意の場所に配置されてもよい。例えば、アパーチャー１２２８は、ゴルフクラブヘッド１２００のヒール領域１２０６の近くに、又は、トウ領域１２０８の近くに配置されてもよい。他の実施形態では、分割部１２２２は、１つ、２つ、３つ、４つ、又は、５つのアパーチャー１２２８を備えてもよい。これらの実施形態では、アパーチャー１２２８は、互いから等距離に配置されてもよいし、互いから任意の距離に配置されてもよいし、分割部１２２２に中心を合わせて配置されてもよいし、ヒール領域１２０６の近くに配置されてもよいし、トウ領域１２０８の近くに配置されてもよいし、又は、分割部１２２２の上の任意の場所に配置されてもよい。例えば、分割部１２２２は、ヒール領域１２０６の近くに１つのアパーチャーを備え、トウ領域１２０８の近くに第２のアパーチャーを備えてもよい。
【００９４】
アパーチャー１２２８は、幅１２３０を備えてもよい。一実施形態では、アパーチャー１２２８の幅１２３０は、０．２５インチである。他の実施形態では、アパーチャー１２２８の幅１２３０は、０．１００インチ〜０．２５０インチ、０．１００インチ〜０．１３０インチ、０．１３０インチ〜０．１６０インチ、０．１６０インチ〜０．１９０インチ、０．１９０インチ〜０．２３０インチ、又は、０．２３０インチ〜０．２５０インチの範囲であってもよい。例えば、アパーチャー１２２８の幅１２３０は、０．１００インチ、０．１２５インチ、０．１５０インチ、０．１７５インチ、０．２００インチ、０．２２５インチ、又は、０．２５０インチであってもよい。
【００９５】
多くの実施形態では、キャビティ１２１６は、インサート１２４０を受容するように構成されてもよい。インサート１２４０は、ゴルフクラブヘッド１２００のキャビティ１２１６に対して、形状及び寸法が相補的になっている。図１３及び図１４に図示されているように、インサート１２４０は、頂部１２４２と、ベース１２４４と、ヒール領域１２０６に近接する第１の端部１２４６と、トウ領域１２０８に近接する第２の端部１２４８と、を備えてもよい。インサート１２４０の頂部１２４２は、インサート１２４０がキャビティ１２１６内に配置されているときに、第１の端部１２４６から第２の端部１２４８に向けて延在する水平方向の平面的な表面である。
【００９６】
図１４に図示されているように、インサート１２４０は、さらに、第１のコンポーネント又はバック部分１２５２、及び、第２のコンポーネント又はフロント部分１２６２を備えてもよい。バック部分１２５２及びフロント部分１２６２は、スリット１２６０によって分離されている。バック部分１２５２は、バック外側表面１２５４と、スリット１２６０に隣接するバック内側表面１２５６と、を備えてもよい。フロント部分１２６２は、フロント外側表面１２６４と、スリット１２６０に隣接するフロント内側表面１２６６と、を備えてもよい。インサート１２４０がキャビティ１２１６内に配置されているときに、フロント部分１２６２は、第１のポケット１２１１内に配置されており、バック部分１２５２は、第２のポケット１２１３内に配置されている。より具体的には、インサート１２４０がキャビティ１２１６内に配置されているときに、バック部分１２５２のバック内側表面１２５６、及び、フロント部分１２６２のフロント内側表面１２６６が、分割部１２２２に当接する。また、フロント外側表面１２６４は、キャビティ１２１６のサイド壁１２２０に隣接している。
【００９７】
いくつかの実施形態では、スリット１２６０は、インサート１２４０のベースからインサート１２４０の頂部１２４２に向かって延びてもよい。例えば、スリット１２６０は、ベース１２４４からのインサート１２４０の高さの５０％〜５５％、５５％〜６０％、６０％〜６５％、６５％〜７０％、７０％〜７５％、７５％〜８０％、８０％〜８５％、８５％〜９０％、９０％〜９５％、又は、９５％〜１００％まで延びてもよい。
【００９８】
スリット１２６０は、フロント部分１２６２のフロント内側表面１２６６からバック部分１２５２のリア内側表面１２５６へ測定される幅１２６８を備えてもよい。いくつかの実施形態では、スリット１２６０の幅１２６８は、一定のままであってもよく、ベース１２４４から開始してインサート１２４０の一部分の中へ延在する。他の実施形態では、スリット１２６０の幅１２６８は、変化してもよく、ベース１２４４から開始してインサート１２４０の一部分の中へ延在する。例えば、スリット１２６０の幅１２６８は、スリット１２６０が頂部１２４２に向けて延在するときに減少するか、スリット１２６０が頂部１２４２に向けて延在するときに増加するか、又は、スリット１２６０が頂部１２４２に向けて延在するときに、それらの任意の変化形であってもよい。いくつかの実施形態では、スリット１２６０の幅１２６８は、０．０５０インチ〜０．１１５インチ、０．０５５インチ〜０．０７５インチ、０．０６５インチ〜０．０８５インチ、０．０７５インチ〜０．０９５インチ、０．０８５インチ〜０．１０５インチ、又は、０．０９５インチ〜０．１１５インチの範囲であってもよい。例えば、スリット１２６０の幅１２６８は、０．０５０インチ、０．０５５インチ、０．０６０インチ、０．０６５インチ、０．０７０インチ、０．０７５インチ、０．０８０インチ、０．０８５インチ０．０９０インチ、０．０９５インチ、０．１００インチ、０．１０５インチ、０．１１０インチ、又は、０．１１５インチであってもよい。１つの例によれば、スリット１２６０の幅１２６８は、０．０７０インチである。スリット１２６０がインサート１２４０の一部分の中へ延在する実施形態では、スリット１２６０の幅１２６８は、分割部１２２２の厚さ１２２４に等しいか、又は、分割部１２２２の厚さ１２２４よりもわずかに大きくなっていてもよい。
【００９９】
いくつかの実施形態では、スリット１２６０は、フロント部分１２６２のフロント外側表面１２６４に対して平行に延在している。他の実施形態では、スリット１２６０は、フロント部分１２６２のフロント外側表面１２６４に対して所定の角度で延在してもよい。例えば、スリット１２６０がフロント部分１２６２のフロント外側表面１２６４に対して所定の角度で延在しているときに、フロント部分１２６２の頂部１２４２は、フロント部分１２６２のベース１２４４よりも薄くなっているか又は厚くなっていてもよい。スリット１２６０は、インサート１２４０のフロント部分１２６２のフロント外側表面１２６４に向けて、又は、それから離れるように、最大２５度で延在してもよい。例えば、スリットは、フロント部分１２６２のフロント外側表面１２６４に向けて、又は、それから離れるように、３度、６度、９度、１２度、１５度、１８度、２１度、又は、２５度で、角度を付けられてもよい。他の実施形態では、スリット１２６０は、第１の端部１２４６に対して所定の角度で延在してもよい。例えば、スリット１２６０が第１の端部１２４６に対して所定の角度で延在しているときに、フロント部分１２６２の第２の端部１２４８は、フロント部分１２６２の第１の端部１２４６よりも薄くなっているか、又は、厚くなっていてもよい。スリット１２６０は、インサート１２４０の第１の端部１２４６に向けて、又は、それから離れるように、最大２５度で延在してもよい。例えば、スリットは、インサート１２４０の第１の端部１２４６に向けて、又は、それから離れるように、３度、６度、９度、１２度、１５度、１８度、２１度、又は２５度で、角度を付けられてもよい。
【０１００】
インサート１２４０は、さらに、インサートアパーチャー１２７０を備えてもよい。インサートアパーチャー１２７０は、バック部分１２５２及びフロント部分１２６２を通って延在しており、バック部分１２５２内のインサートアパーチャー１２７０は、インサート１２４０のフロント部分１２６２内のインサートアパーチャー１２７０と同心になっている。１つの実施形態では、インサートアパーチャー１２７０は、第１の端部１２４６と第２の端部１２４８との間、及び、頂部１２４２とベース１２４４との間において、中央に又は中間点に配置されている。他の実施形態では、インサート１２４０のインサートアパーチャー１２７０は、第１の端部１２４６に向けて、第２の端部１２４８に向けて、頂部１２４２に向けて、又は、ベース１２４４に向けて、配置されてもよい。
【０１０１】
図１３に図示されているように、インサート１２４０は、１つのインサートアパーチャー１２７０を備えてもよい。他の実施形態では、インサート１２４０は、１つ、２つ、３つ、４つ、又は、５つのインサートアパーチャー１２７０を備えてもよい。多くの実施形態では、インサートアパーチャー１２７０の数は、分割部１２２２のアパーチャー１２２８の数に対応している。インサートアパーチャー１２７０は、場所に関して、分割部１２２２のアパーチャー１２２８の位置に対応しており、インサート１２４０がキャビティ１２１６内に配置されているときに、インサートアパーチャー１２７０は、分割部１２２２のアパーチャー１２２８と同心になっている。
【０１０２】
インサートアパーチャー１２７０は、直径１２７２を備えてもよい。１つの実施形態によれば、インサートアパーチャー１２７０は、０．１５０インチの直径を備える。他の実施形態では、インサートアパーチャー１２７０の直径１２７２は、０．１００インチ〜０．２５０インチ、０．１００インチ〜０．１３０インチ、０．１３０インチ〜０．１６０インチ、０．１６０インチ〜０．１９０インチ、０．１９０インチ〜０．２３０インチ、又は、０．２３０インチ〜０．２５０インチの範囲であってもよい。例えば、インサートアパーチャー１２７０の直径１２７２は、０．１００インチ、０．１２５インチ、０．１５０インチ、０．１７５インチ、０．２００インチ、０．２２５インチ、又は、０．２５０インチであってもよい。多くの実施形態ではインサートアパーチャー１２７０の直径１２７２は、分割部１２２２のアパーチャー１２２８の幅１２３０と同じである。
【０１０３】
インサート１２４０は、さらに、マスを備えてもよい。インサート１２４０のマスは、０．０２グラム〜３２グラム、０．０２グラム〜０．４０グラム、０．０４０グラム〜０．８０グラム、０．０８０グラム〜３グラム、３グラム〜９グラム、９グラム〜１５グラム、１５グラム〜２１グラム、２１グラム〜２７グラム、２７グラム〜３２グラム、０．０２グラム〜１０グラム、１０グラム〜２０グラム、又は、２０グラム〜３２グラムの範囲であってもよい。例えば、インサート１２４０のマスは、０．０２グラム、０．５０グラム、１グラム、５グラム、１０グラム、１５グラム、２０グラム、２５グラム、３０グラム、又は、３６グラムであってもよい。
【０１０４】
いくつかの実施形態では、インサート１２４０のバック部分１２５２及びフロント部分１２６２は、同じマスを備えてもよい。他の実施形態では、バック部分１２５２は、インサート１２４０のフロント部分１２６２のマスよりも小さいマスを備えてもよい。例えば、バック部分１２５２は、０．０２グラム〜０．８０グラム、０．０８０グラム〜４グラム、４グラム〜８グラム、８グラム〜１２グラム、又は、１２グラム〜１５グラム（例えば、０．０２グラム、０．５０グラム、１グラム、５グラム、１０グラム、又は、１５グラム）の範囲のマスを備え、フロント部分１２６２は、７グラム〜３２グラム、７グラム〜１５グラム、１５グラム〜１８グラム、１８グラム〜２３グラム、２３グラム〜２８グラム、２８グラム〜３２グラム（例えば、７グラム、１５グラム、２０グラム、２５グラム、３０グラム、又は、３２グラム）の範囲のマスを備えてもよい。他の実施形態では、バック部分１２５２は、インサート１２４０のフロント部分１２６２のマスよりも大きいマスを備えてもよい。例えば、フロント部分は、０．０２グラム〜０．８０グラム、０．０８０グラム〜４グラム、４グラム〜８グラム、８グラム〜１２グラム、又は、１２グラム〜１５グラム（例えば、０．０２グラム、０．５０グラム、１グラム、５グラム、１０グラム、又は、１５グラム）の範囲のマスを備え、バック部分１２５２は、７グラム〜３２グラム、７グラム〜１５グラム、１５グラム〜１８グラム、１８グラム〜２３グラム、２３グラム〜２８グラム、２８グラム〜３２グラム（例えば、７グラム、１５グラム、２０グラム、２５グラム、３０グラム、又は、３２グラム）を備えてもよい。
【０１０５】
インサートアパーチャー１２７０は、締結具１２７４を受容してもよい。締結具１２７４は、自己ネジ切り式スクリュー（self-threaded screw）、一体成形ネジ（co-molded thread）、スクリュー、リベット（ソリッド・ヘッド・リベット又はブラインド・リベット）、又は、任意の他のタイプの締結具を備えてもよい。締結具１２７４は、１つの締結具１２７４、２つの締結具１２７４、３つの締結具１２７４、４つの締結具１２７４、又は、５つの締結具１２７４であってもよい。多くの実施形態では、締結具１２７４の数は、インサートアパーチャー１２７０の数に対応している。インサート１２４０がゴルフクラブヘッド１２００のキャビティ１２１６内に配置されているときに、締結具１２７４は、インサート１２４０のバック部分１２５２上に配置されているインサートアパーチャー１２７０を通して配置され、分割部１２２２のアパーチャー１２２８を通って、及び、インサート１２４０のフロント部分１２６２内のインサートアパーチャー１２７０を通って延在している。
【０１０６】
締結具１２７４がインサートアパーチャー１２７０内に配置されているときに、分割部１２２２のアパーチャー１２２８は、キャビティ１２１６の分割部１２２２に対してインサート１２４０を固定及び圧縮することを助ける。分割部１２２２に対してインサート１２４０を圧縮することは、分割部１２２２に対して、インサート１２４０のバック部分１２５２のバック内側表面１２５６とインサート１２４０のフロント部分１２６２のフロント内側表面１２６６との間に表面摩擦を生成する。締結具１２７４及び表面摩擦の組み合わせは、インサート１２４０がキャビティ１２１６から脱落することを防止し、それによって、インサート１２４０をキャビティ１２１６の中に固定する。
【０１０７】
多くの実施形態では、インサート１２４０は、塑性変形可能な材料を備えてもよい。いくつかの実施形態では、インサート１２４０の塑性変形可能な材料は、金属、タングステン、アルミニウム、チタン、バナジウム、クロム、コバルト、ニッケル、他の金属、シム・ストック、スチール、銅、金属合金、プラスチック、又は、複合材料を備えてもよい。様々な実施形態では、インサート１２４０は、弾性的に変形可能な材料、又は、形状記憶金属もしくは金属合金、例えば、ニッケル・チタンなどを備えてもよい。
【０１０８】
いくつかの実施形態では、インサート１２４０のフロント部分１２６２の材料、及び、バック部分１２５２の材料は、互いに異なっていてもよい。他の実施形態では、フロント部分１２６２の材料、及び、バック部分１２５２の材料は、同じ材料を備えてもよい。いくつかの実施形態では、フロント部分１２６２の材料、及び、バック部分１２５２の材料は、それぞれ、ゴルフクラブヘッド１２００の材料よりも密度が高くてもよい。他の実施形態では、フロント部分１２６２の材料、及び、バック部分１２５２の材料は、ゴルフクラブヘッド１２００の材料密度と同じ密度であるか、又は、ゴルフクラブヘッド１２００の材料密度よりも低い密度であってもよい。
【０１０９】
２．水平方向のスリット
本明細書では、キャビティ１５１６を備えることができるゴルフクラブヘッド１５００が説明されている。下記に説明されているように、キャビティ１５１６は、底部壁１５１８及びサイド壁１５２０を備えてもよく、分割部１５２２が、サイド壁１５２０から延在してもよい。分割部は、アパーチャー１５２８を備えてもよい。インサート１５４０は、スリット１５６０によって分離されている頂部１５５２、底部１５６２、及び、インサートアパーチャー１５７０を備えてもよく、インサートアパーチャー１５７０は、頂部１５５２及び底部１５６２を同心に貫通している。インサート１５４０のスリット１５６０は、分割部１５２２を受容してもよく、頂部１５５２及び底部１５６２は、分割部１５２２の両方の側に配置されている。締結具１５７４は、インサートアパーチャー１５７０、及び、分割部１５２２のアパーチャー１５２８を通って配置され、分割部１５２２に対してインサート１５４０を圧縮することが可能であり、インサート１５４０の表面と分割部１５２２の表面との間に表面摩擦が生成される。表面摩擦は、インサート１５４０をキャビティの中に固定することを助け、脱落を防止する。
【０１１０】
図１５は、ゴルフクラブヘッド１５００を図示しており、ゴルフクラブヘッド１５００は、ゴルフクラブヘッド１００、４００、７００、１２００と同様であってもよい。多くの実施形態では、ゴルフクラブヘッド１５００は、アイアンタイプのゴルフクラブヘッドであってもよい。他の実施形態では、ゴルフクラブヘッド１５００は、別のタイプのゴルフクラブヘッド、例えば、ドライバータイプのクラブヘッド、フェアウェイウッドタイプのクラブヘッド、ハイブリッドタイプのクラブヘッド、ウッドタイプのクラブヘッド、ウェッジタイプのクラブヘッド、又は、パタータイプのクラブヘッドなどであってもよい。いくつかの実施形態では、ゴルフクラブヘッド１５００は、ストライクフェイス１５０２と、ストライクフェイス１５０２に対向するバックフェイス１５０４と、ヒール領域１５０６と、ヒール領域１５０６に対向するトウ領域１５０８と、ソール１５１２と、リア部１５１４と、を備えてもよい。ゴルフクラブヘッド１５００はさらに、バックフェイス１５０４とリア部１５１４との間に配置されているキャビティ１５１６を備えてもよい。
【０１１１】
キャビティ１５１６は、底部壁１５１８と、サイド壁１５２０と、を備えてもよい。いくつかの実施形態では、底部壁１５１８は、平坦で平面的な表面であってもよく、他の実施形態では、底部壁１５１８は、組み合わせ又は複数の平面的な表面であってもよい。いくつかの実施形態では、サイド壁１５２０は、ゴルフクラブヘッド１５００のバックフェイス１５０４からオフセットされている。他の実施形態では、サイド壁１５２０は、バックフェイス１５０４の一部分を構成することが可能である。
【０１１２】
キャビティ１５１６は、さらに、ゴルフクラブヘッド１２００の分割部１２２２と同様の分割部１５２２を備えてもよい。分割部１５２２は、キャビティ１５１６のサイド壁１５２０から垂直方向に延在してもよい。他の実施形態では、分割部１５２２は、キャビティ１５１６のサイド壁１５２０に対して所定の角度で延在してもよい。分割部１５２２は、サイド壁１５２０の上の中央、サイド壁１５２０の上部の近く、又は、底部壁１５１８の近くに延在してもよい。分割部１５２２は、ヒール領域１５０６からトウ領域１５０８に向けて、キャビティ１５１６の全体長さにわたって延在してもよい。いくつかの実施形態では、分割部１５２２は、キャビティ１５１６の全体長さにわたって延在してもよい。他の実施形態では、分割部１５２２は、キャビティ１５１６の長さの一部分に延在してもよい。分割部１５２２の高さは、最大でキャビティ１５１６の幅まで延在してもよい。
【０１１３】
分割部１５２２は、さらに、キャビティ１５１６のサイド壁１５２０に対して垂直に配向されてもよい。他の実施形態では、分割部１５２２は、キャビティ１５１６のサイド壁１５２０に対して所定の角度で配向されてもよい。分割部１５２２は、キャビティ１５１６を、底部壁１５１８に隣接する第１のポケット１５１１と、第１のポケット１２１１の反対側であり、分割部１５２２の他方の側の第２のポケット１５１３と、に分離している。
【０１１４】
分割部１５２２は、厚さ１５２４を備えてもよい。いくつかの実施形態では、分割部１５２２の厚さ１５２４は、ゴルフクラブヘッド１５００のヒール端部１５０６からトウ端部１５０８に向けて延在する分割部１５２２の長さの全体を通して、一定のままである。他の実施形態では、厚さ１５２４は、ヒール端部１５０６からトウ端部１５０８に向けて延在する分割部１５２２の長さの全体を通して、変化してもよい。分割部１５２２の厚さ１５２４は、さらに、サイド壁１５２０から一定のままであってもよく、サイド壁１５２０から離れるように延在している。いくつかの実施形態では、分割部１５２２の厚さ１５２４は、０．０７０インチである。他の実施形態では、分割部１５２２の厚さ１５２４は、０．０５０インチ〜０．１００インチ、０．０５５インチ〜０．０７５インチ、０．０６０インチ〜０．０８０インチ、０．０６５インチ〜０．０８５インチ、０．０７０インチ〜０．０９０インチ、又は、０．０７５インチ〜０．０９５インチの範囲であってもよい。例えば、分割部１５２２の厚さ１５２４は、０．０５０インチ、０．０５５インチ、０．０６０インチ、０．０６５インチ、０．０７０インチ、０．０７５インチ、０．０８０インチ、０．０８５インチ、０．０９０インチ、０．０９５インチ、又は、０．１００インチであってもよい。
【０１１５】
分割部１５２２は、さらに、アパーチャー１５２８を備えてもよい。１つの実施形態では、アパーチャー１５２８は、分割部１５２２の中心、又は、分割部１５２２の中心の近くに配置されている。他の実施形態では、アパーチャー１５２８は、任意の場所に配置されてもよい。例えば、アパーチャー１５２８は、ゴルフクラブヘッド１５００のヒール領域１５０６の近く、又は、トウ領域１５０８の近くに配置されてもよい。他の実施形態では、分割部１５２２は、１つ、２つ、３つ、４つ、又は、５つのアパーチャー１５２８を備えてもよい。これらの実施形態では、アパーチャー１５２８は、互いから等距離に配置されていてもよいし、互いから任意の距離に配置されていてもよいし、分割部１５２２に中心を合わせて配置されていてもよいし、ヒール領域１５０６の近くに配置されていてもよいし、トウ領域１５０８の近くに配置されていてもよいし、又は、分割部１５２２の上の任意の場所に配置されていてもよい。例えば、分割部１５２２は、ヒール領域１５０６の近くに１つのアパーチャーを備え、トウ領域１５０８の近くに第２のアパーチャーを備えてもよい。
【０１１６】
アパーチャー１５２８は、さらに、幅１５３０を備えてもよい。１つの実施形態では、アパーチャー１５２８の幅１５３０は、０．２５インチである。他の実施形態では、アパーチャー１５２８の幅１５３０は、０．１００インチ〜０．２５０インチ、０．１００インチ〜０．１３０インチ、０．１３０インチ〜０．１６０インチ、０．１６０インチ〜０．１９０インチ、０．１９０インチ〜０．２３０インチ、又は、０．２３０インチ〜０．２５０インチの範囲であってもよい。例えば、アパーチャー１５２８の幅１５３０は、０．１００インチ、０．１２５インチ、０．１５０インチ、０．１７５インチ、０．２００インチ、０．２２５インチ、又は、０．２５０インチであってもよい。
【０１１７】
多くの実施形態では、キャビティ１５１６は、インサート１５４０を受容するように構成されてもよい。インサート１５４０は、ゴルフクラブヘッド１５００のキャビティ１５１６に対して、形状及び寸法が相補的になっている。インサート１５４０は、ゴルフクラブヘッド１２００のインサート１２４０と同様である。図１６及び図１７に図示されているように、インサート１５４０は、ヒール領域１５０６に近接する第１の端部１５４６と、トウ領域１５０８に近接する第２の端部１５４８と、バック表面１５４４と、フロント表面１５４２と、頂部１５５２（又は、第１のコンポーネント）と、底部１５６２（又は、第２のコンポーネント）と、頂部１５５２及び底部１５６２を分離するスリット１５６０と、を備えてもよい。
【０１１８】
インサート１５４０の背面図（図１６）から、頂部１５５２は形状が概して長方形になっている。インサート１５４０の頂部１５５２は、頂部外側表面１５５４及び頂部内側表面１５５６を備えてもよい。図１６に図示されているように、底部１５６２は、形状が概して五角形になっている。インサート１５４０の底部は、底部内側表面１５６６及び底部外側表面１５６４を備えてもよい。インサート１５４０がキャビティ１５１６内に配置されているときに、底部１５６２は、第１のポケット１５１１内に配置されており、頂部１５５２は、第２のポケット１５１３内に配置されている。より具体的には、インサート１５４０がキャビティ１５１６の中に位置決めされているときに、頂部１５５２の頂部内側表面１５５６、及び、底部１５６２の底部内側表面１５６６が、分割部１５２２に当接する。
【０１１９】
いくつかの実施形態では、スリット１５６０は、インサート１５４０のフロント表面１５４２からインサート１５４０のバック表面１５４４に延在してもよい。例えば、スリット１５６０は、フロント表面１５４２からインサート１５４０内に５０％〜５５％、５５％〜６０％、６０％〜６５％、６５％〜７０％、７０％〜７５％、７５％〜８０％、８０％〜８５％、８５％〜９０％、９０％〜９５％、又は、９５％〜１００％の範囲で延在してもよい。
【０１２０】
スリット１５６０は、頂部１５５２の頂部内側表面１５５６から底部１５６２の底部内側表面１５６６へ測定される幅１５６８を備えてもよい。いくつかの実施形態では、スリット１５６０の幅１５６８は、一定のままであってもよく、リア表面１５４２から開始してインサート１５４０の一部分の中へ延在している。他の実施形態では、スリット１５６０の幅１５６８は、変化してもよく、リア表面１５４２〜インサート１５４０の一部分の中へ延在している。例えば、幅１５６８は、スリット１５６０がインサート１５４０のバック表面１５４４に向けて延在するときに、減少するか、増加するか、又は、それらの任意の変化形であってもよい。いくつかの実施形態では、スリット１５６０の幅１５６８は、少なくとも０．０５０インチ〜０．１１５インチ、少なくとも０．０５５インチ〜０．０７５インチ、少なくとも０．０６５インチ〜０．０８５インチ、少なくとも０．０７５インチ〜０．０９５インチ、少なくとも０．０８５インチ〜０．１０５インチ、又は、少なくとも０．０９５インチ〜０．１１５インチの範囲であってもよい。例えば、スリット１２６０の幅１２６８は、０．０５０インチ、０．０５５インチ、０．０６０インチ、０．０６５インチ、０．０７０インチ、０．０７５インチ、０．０８０インチ、０．０８５インチ０．０９０インチ、０．０９５インチ、０．１００インチ、０．１０５インチ、０．１１０インチ、又は、０．１１５インチであってもよい。スリット１５６０がインサート１５４０の一部分の中へ延在する多くの実施形態では、スリット１５６０の幅１５６８は、分割部１５２２の厚さ１５２４に等しいか、又は、分割部１５２２の厚さ１５２４よりもわずかに大きくなっている。
【０１２１】
いくつかの実施形態では、スリット１５６０は、インサート１５４０のリア表面１５４２に対して垂直に延在している。他の実施形態では、スリット１５６０は、インサート１５４０のリア表面１５４２に対して所定の角度で延在してもよい。例えば、スリット１５６０は、インサート１５４０のフロント表面１５４２に向けて、又は、それから離れるように、最大２５度で延在してもよい。例えば、スリットは、インサート１５４０のフロント表面１５４２に向けて、又は、それから離れるように、３度、６度、９度、１２度、１５度、１８度、２１度、又は、２５度で、角度を付けられてもよい。
【０１２２】
インサート１５４０は、さらに、インサートアパーチャー１５７０を備えてもよい。インサートアパーチャー１５７０は、頂部１５５２及び底部１５６２を通って延在しており、頂部１５５２内のインサートアパーチャー１５７０は、底部１５６２内のインサートアパーチャー１５７０と同心になっている。１つの実施形態では、インサートアパーチャー１５７０は、第１の端部１５４６と第２の端部１５４８との間、及び、フロント表面１５４２とバック表面１５４４との間において、中央に又は中間点に配置されている。他の実施形態では、インサートアパーチャー１５７０は、第１の端部１５４６に向けて、第２の端部１５４８に向けて、フロント表面１５４２に向けて、又は、バック表面１５４４に向けて、配置されてもよい。
【０１２３】
図１６に図示されているように、インサート１５４０は、１つのインサートアパーチャー１５７０を備えてもよい。他の実施形態では、インサート１５４０は、１つ、２つ、３つ、４つ、又は、５つのインサートアパーチャー１５７０備えてもよい。多くの実施形態では、インサートアパーチャー１５７０の数は、分割部１５２２のアパーチャー１５２８の数に対応している。インサートアパーチャー１５７０は、場所に関して、分割部１５２２のアパーチャー１５２８の位置に対応しており、インサート１５４０がキャビティ１５１６内に配置されているときに、インサートアパーチャー１５７０は、分割部１５２２のアパーチャー１５２８と同心になっている。
【０１２４】
インサートアパーチャー１５７０は、直径１５７２を備えてもよい。１つの実施形態によれば、インサートアパーチャー１５７０は、０．１５０インチの直径１５７２を備えてもよい。他の実施形態では、インサートアパーチャー１５７０の直径１５７２は、０．１００インチ〜０．２５０インチ、０．１００インチ〜０．１３０インチ、０．１３０インチ〜０．１６０インチ、０．１６０インチ〜０．１９０インチ、０．１９０インチ〜０．２３０インチ、又は、０．２３０インチ〜０．２５０インチの範囲であってもよい。例えば、インサートアパーチャー１５７０の幅１５３０は、１５７０ｃａｎｂｅ０．１００インチ、０．１２５インチ、０．１５０インチ、０．１７５インチ、０．２００インチ、０．２２５インチ、又は、０．２５０インチであってもよい。多くの実施形態では、インサートアパーチャー１５７０の直径１５７２は、分割部１５２２のインサートアパーチャー１５７０の幅１５３０と同じである。
【０１２５】
インサート１５４０は、さらに、マスを備えてもよい。インサート１５４０のマスは、０．０２グラム〜３２グラム、０．０２グラム〜０．４０グラム、０．０４０グラム〜０．８０グラム、０．０８０グラム〜３グラム、３グラム〜９グラム、９グラム〜１５グラム、１５グラム〜２１グラム、２１グラム〜２７グラム、２７グラム〜３２グラム、０．０２グラム〜１０グラム、１０グラム〜２０グラム、又は、２０グラム〜３２グラムの範囲であってもよい。例えば、第１のコンポーネント２４２のマスは、０．０２グラム、０．５０グラム、１グラム、５グラム、１０グラム、１５グラム、２０グラム、２５グラム、３０グラム、又は、３２グラムであってもよい。
【０１２６】
いくつかの実施形態では、インサート１５４０の頂部１５５２及び底部１５６２は、同じマスを備えてもよい。他の実施形態では、頂部１５５２は、インサート１５４０の底部１５６２のマスよりも小さいマスを備えてもよい。例えば、頂部１５５２は、０．０２グラム〜０．８０グラム、０．０８０グラム〜４グラム、４グラム〜８グラム、８グラム〜１２グラム、又は、１２グラム〜１５グラム（例えば、０．０２グラム、０．５０グラム、１グラム、５グラム、１０グラム、又は、１５グラム）の範囲のマスを備え、底部分１５６２は、７グラム〜３２グラム、７グラム〜１５グラム、１５グラム〜１８グラム、１８グラム、〜２３グラム、２３グラム〜２８グラム、２８グラム〜３２グラム（例えば、７グラム、１５グラム、２０グラム、２５グラム、３０グラム、又は、３２グラム）のマスを備えてもよい。他の実施形態では、頂部１５５２は、インサート１５４０の底部１５６２のマスよりも大きいマスを備えてもよい。例えば、底部１５６２は、０．０２グラム〜０．８０グラム、０．０８０グラム〜４グラム、４グラム〜８グラム、８グラム〜１２グラム、又は、１２グラム〜１５グラム（例えば、０．０２グラム、０．５０グラム、１グラム、５グラム、１０グラム、又は、１５グラム）の範囲のマスを備え、頂部１５５２は、７グラム〜３２グラム、７グラム〜１５グラム、１５グラム〜１８グラム、１８グラム、〜２３グラム、２３グラム〜２８グラム、２８グラム〜３２グラム（例えば、７グラム、１５グラム、２０グラム、２５グラム、３０グラム、又は、３２グラム）のマスを備えてもよい。
【０１２７】
インサートアパーチャー１５７０は、締結具１５７４を受容してもよい。締結具１５７４は、自己ネジ切り式スクリュー、一体成形ネジ、スクリュー、リベット（ソリッド・ヘッド・リベット又はブラインド・リベット）、又は、任意の他のタイプの締結具を備えてもよい。締結具１５７４は、１つの締結具１５７４、２つの締結具１５７４、３つの締結具１５７４、４つの締結具１５７４、又は、５つの締結具１５７４であってもよい。多くの実施形態では、締結具１５７４の数は、インサートアパーチャー１５７０の数に対応している。インサート１５４０がゴルフクラブヘッド１５００のキャビティ１５１６内に配置されているときに、締結具１５７４は、インサート１５４０の頂部１５５２上に配置されているインサートアパーチャー１５７０を通して配置され、分割部１５２２のアパーチャー１５２８を通って、及び、インサート１５４０の底部１５６２内のインサートアパーチャー１５７０を通って延在している。
【０１２８】
締結具１５７４がインサートアパーチャー１５７０内に配置されているときに、分割部１５２２のアパーチャー１５２８は、キャビティ１５１６の分割部１５２２に対してインサート１５４０を固定及び圧縮することを助ける。分割部１５２２に対してインサート１５４０を圧縮することは、分割部１５２２に対して、インサート１５４０の頂部１５５２の頂部内側表面１５５６とインサート１５４０の底部１５６２の底部内側表面１５６６との間に表面摩擦を生成する。締結具１５７４及び表面摩擦の組み合わせは、インサート１５４０がキャビティ１５１６から脱落することを防止し、それによって、インサート１５４０をキャビティ１５１６の中に固定する。
【０１２９】
いくつかの実施形態では、締結具１２７４、１５７４は、ソリッド・ヘッド・リベットであり、ハンマー又はリベット・ガンが、バック外側表面１２５４（又は、頂部外側表面１５５４）及びフロント外側表面１２６４（又は、底部外側表面１５６４）に対して、締結具１２７４／１５７４のシャフト及びヘッドを変形させるために使用され、それは、分割部１２２２、１５２２とともにインサート１２４０、１５４０を圧縮する。分割部１２２２、１５２２とともにインサート１２４０、１５４０を圧縮することは、分割部１２２２、１５２２によって、バック内側表面１２５６（又は、頂部内側表面１５５６）とフロント内側表面１２６６（又は、底部内側表面１５６６）との間の摩擦を生成し、インサート１２４０、１５４０をキャビティ１２１６、１５１６の中に固定する。
【０１３０】
他の実施形態では、締結具１２７４、１５７４は、ブラインド・リベット（又は、「ポップ」リベット）である。締結具１２７４、１５７４は、中空のリベットボディと、中空のリベットボディ内に配置されているマンドレルと、を備えてもよい。マンドレルの周囲に沿って延在するリップが、マンドレルのベースにある。マンドレルは、インサート１２４０、１５４０から離れる方向に引っ張られ、マンドレルのベースのリップは、中空のリベットボディのベースを圧縮及び拡張する。中空のボディリベットの拡張は、締結具１２７４、１５７４をインサート１２４０、１５４０の中に固定する。このため、インサート１２４０、１５４０をキャビティ１２１６、１５１６の中に固定する。
【０１３１】
多くの実施形態では、インサート１５４０は、塑性変形可能な材料を備えてもよい。いくつかの実施形態では、インサート１５４０の塑性変形可能な材料は、金属、タングステン、アルミニウム、チタン、バナジウム、クロム、コバルト、ニッケル、他の金属、シム・ストック、スチール、銅、金属合金、プラスチック、又は複合材料を備えてもよい。様々な実施形態では、インサート１５４０は、弾性的に変形可能な材料、又は、形状記憶金属もしくは金属合金、例えば、ニッケル・チタンなどを備えてもよい。
【０１３２】
いくつかの実施形態では、インサート１５４０の底部１５６２の材料、及び、頂部１５５２の材料は、互いに異なっていてもよい。他の実施形態では、底部１５６２の材料、及び、頂部１５５２の材料は、同じ材料を備えてもよい。いくつかの実施形態では、底部１５６２の材料、及び、頂部１５５２の材料は、それぞれ、ゴルフクラブヘッド１５００の材料よりも密度が高くてもよい。他の実施形態では、底部１５６２の材料、及び、頂部１５５２の材料は、ゴルフクラブヘッド１５００の材料密度と同じ密度であるか、又は、ゴルフクラブヘッド１５００の材料密度よりも低い密度であってもよい。
【０１３３】
いくつかの実施形態は、図１８に示されているようなゴルフクラブ１０００などのような、完全に組み立てられたゴルフクラブを含む。図１８は、実施形態によるゴルフクラブ１０００の正面図を示している。いくつかの実施形態では、ゴルフクラブ１０００は、シャフト１０１５を備え、シャフト１０１５の一方の端部にグリップ１０１０を備え、シャフト１０１５の反対側端部においてシャフト１０１５に接続されているゴルフクラブヘッド１００５を備えてもよい。多くの実施形態では、ゴルフクラブヘッド１００５は、ゴルフクラブヘッド１００（図１）、ゴルフクラブヘッド４００（図５）、ゴルフクラブヘッド７００（図７）、ゴルフクラブヘッド１２００（図１２）、及び／又は、ゴルフクラブヘッド１５００（図１５）と同様であってもよい。いくつかの実施形態では、ゴルフクラブ１０００は、アイアンタイプのゴルフクラブである。他の実施形態では、ゴルフクラブ１０００は、別のタイプのゴルフクラブヘッド（例えば、ドライバータイプのクラブヘッド、フェアウェイウッドタイプのクラブヘッド、ハイブリッドタイプのクラブヘッド、ウッドタイプのクラブヘッド、ウェッジタイプのクラブヘッド、又は、パタータイプのクラブヘッド）であってもよい。
【０１３４】
様々な実施形態は、図１９に示されているように、ゴルフクラブヘッドを製造するための方法１１００を含む。図１９は、実施形態によるゴルフクラブヘッドを製造する方法を示している。いくつかの実施形態では、方法１１００は、ゴルフクラブヘッド１００（図１）、ゴルフクラブヘッド４００（図５）、ゴルフクラブヘッド７００（図７）、ゴルフクラブヘッド１２００（図１２）、ゴルフクラブヘッド１５００、及び／又は、ゴルフクラブヘッド１００５（図１５）と同様のゴルフクラブヘッドを製造するために使用されてもよい。
【０１３５】
多くの実施形態では、方法１１００は、第１の密度を有する第１の材料からボディを形成するステップ（ブロック１１０５）を備えてもよい。多くの実施形態では、ボディは、ゴルフクラブヘッドのフロントにおけるストライクフェイスと、ストライクフェイスに対向するバックフェイスと、ヒール領域と、ヒール領域に対向するトウ領域と、ソールと、ゴルフクラブヘッドのリアにおけるリア部と、バックフェイスとリア部分との間に配置されるキャビティと、を備えてもよい。いくつかの実施形態では、第１の材料からボディを形成するステップは、ボディを鍛造するステップを備えてもよい。他の実施形態では、第１の材料からボディを形成するステップは、ボディを鋳造するステップを備えてもよい。他の実施形態では、第１の材料からボディを形成するステップは、ボディを成形するステップを備えてもよい。いくつかの実施形態では、方法１１００は、アイアンタイプクラブヘッド用のゴルフクラブヘッドを製造するステップを備えてもよい。
【０１３６】
多くの実施形態では、方法１１００は、さらに、インサートを提供するステップ（ブロック１１１０）と、インサートをキャビティの中に固定するステップ（ブロック１１１５）と、を備えてもよい。多くの実施形態では、インサートは、インサート１４０、インサート４４０、インサート７４０、インサート１２４０、及び／又は、インサート１５４０と同様であってもよい。いくつかの実施形態では、インサートをキャビティ内に固定するステップ（ブロック１１１５）は、インサートの第２のコンポーネントがキャビティの一部分と接触した状態になっている（例えば、第２の材料２４４がキャビティ１１６に対向している）ことによって、インサートを固定するステップを備えてもよい。いくつかの実施形態では、インサートをキャビティ内に固定するステップ（ブロック１１１５）は、インサートの第２のコンポーネントのエッジを、キャビティの壁の一部分の中のスロットの中に挿入するステップを備えてもよい。複数の実施形態において、インサートをキャビティ内に固定するステップ（ブロック１１１５）は、インサートの一部分がキャビティ内のポスト（例えば、ポスト５１９）によって接触した状態になっていることを備えてもよい。多くの実施形態では、インサートとキャビティの一部分との接触ポイントは、インサートをキャビティの中に固定するために、テンション及び／又は摩擦を提供することができる。いくつかの実施形態では、接着剤が、インサートをキャビティの中に固定することを支援するために使用されてもよいが、他の実施形態では、インサートをキャビティの中に固定するために、又は、インサートをキャビティの中に固定することを支援するために、接着剤は使用されない。他の実施形態では、スクリュー又はリベットなどのような締結具の使用は、インサートをキャビティの中に固定することを支援することができる。
【０１３７】
いくつかの実施形態では、インサートは、インサートの底部において、１つ又は複数のフレックススロット（例えば、フレックススロット８８０）を備えてもよい。多くの実施形態では、インサートは、キャビティのトウサイド壁、及び、キャビティのヒールサイド壁に、力を働かせることができる。いくつかの実施形態では、１つ又は複数のフレックススロットは、キャビティ内に挿入又は設置される前にインサートが曲がることを可能にすることができ、インサートがキャビティ内に配置されているときに、インサートをキャビティの中に固定するために、インサートが、そのオリジナル形状に戻ることができ、また、キャビティのトウサイド壁、及び、キャビティのヒールサイド壁に、力を働かせることができるようになっている。いくつかの実施形態では、キャビティのバックフェイス・サイド壁、及び、キャビティのリア部−サイド壁に対して、インサートが圧力を働かせることができるように、１つ又は複数のフレックススロットが切断され得る。複数の実施形態において、１つ又は複数のフレックススロットは、インサートの長さに対して斜めに切断可能であり、インサートは、キャビティ内への設置の前に捩じることができる。いくつかの実施形態では、接着剤が、インサートをキャビティ内に固定することを支援するために使用されてもよい。いくつかの実施形態では、インサートをキャビティ内に固定するため、又は、インサートをキャビティ内に固定することを支援するために、接着剤は使用されないが、他の実施形態では、接着剤がキャビティ内で硬化した後にキャビティからのインサートの屈曲又は緩みを防止するために、接着剤が１つ又は複数のフレックススロットの一部分に充填されてもよい。
【０１３８】
キャビティ及びインサートを備えたゴルフクラブヘッド、及び、本明細書で議論されている関連の方法は、様々な実施形態で実装することができ、これらの実施形態の先述の議論は、必ずしも、すべての可能な実施形態の完全な説明を表してはいない。むしろ、図面の詳細な説明、及び、図面自身は、ゴルフクラブヘッドウェイトをフィッティングするためのシステム及び方法の少なくとも１つの好適な実施形態を開示しており、キャビティを備えたゴルフクラブヘッド及び関連の方法の代替的な実施形態を開示している可能性がある。
【０１３９】
１つまたは複数の請求された要素の置換は、再構成を構成し、補綴ではない。さらに、問題に対する利点、他の有利な点及び解決を、特別な実施形態に関連して説明してきた。しかしながら、問題に対する利点、他の有利な点及び解決、並びに、任意の利点、有利な点または解決を発生させまたは明らかとさせる任意の１つまたは複数の要素は、請求の範囲の任意またはすべての要素の重大な、必須の、又は、本質的な特徴若しくは要素を構成するものではない。
【０１４０】
ゴルフに対する規則は、時々変更される（例えば、全米ゴルフ協会（ＵＳＧＡ）、英国ゴルフ協会（Ｒ＆Ａ）等のゴルフ標準組織及び／または管理機関によって、新しい規則が適用されることがあり、または、古いルールが撤廃若しくは変更されることがある）ため、本明細書に記載の装置、方法及び製品に関するゴルフ用品は、任意の特定時におけるゴルフのルールに適合しまたは適合しないことがある。したがって、本明細書に記載の装置、方法及び製品に関するゴルフ用品は、適合または非適合ゴルフ用品として、公表され、売り出され、及び／または、売却されることがある。本明細書に記載の装置、方法及び製品は、この点について制限されない。
【０１４１】
上記実施例は、ドライバータイプのゴルフクラブとの関連で記載されているが、本明細書に記載の装置、方法及び製品は、フェアウッドタイプのゴルフクラブ、ハイブリッドタイプのゴルフクラブ、アイアンタイプのゴルフクラブ、ウェッジタイプのゴルフクラブ、又は、パタータイプのゴルフクラブ等の他のタイプのゴルフクラブに適用してもよい。一方、本明細書に記載の装置、方法、及び、製品は、ホッケー用スティック、テニスラケット、釣り竿、スキーのストック等の他のタイプのスポーツ用品に適用可能としてもよい。
【０１４２】
条項１．  ゴルフクラブヘッドであって、ボディと、インサートと、を備え、前記ボディは、前記ゴルフクラブヘッドのフロント側のストライクフェイスと、前記ストライクフェイスに対向するバックフェイスと、ヒール領域と、前記ヒール領域に対向するトウ領域と、ソールと、前記ゴルフクラブヘッドのリア側のリア部と、前記バックフェイスと前記リア部との間に設けられているキャビティと、を備え、前記キャビティは、前記バックフェイスからオフセットされているサイド壁と、底部壁と、前記ヒール領域から前記トウ領域へ前記キャビティの全長にわたって延在し、前記キャビティを第１のポケットと第２のポケットに分離し、アパーチャーを有する分割部と、を備え、前記インサートは、前記キャビティ内に受容され、前記インサートは、１つのアパーチャーを有する第１のコンポーネントと、前記第１のコンポーネントの前記１つのアパーチャーと同心である１つのアパーチャーを有する第２のコンポーネントと、前記第１のコンポーネントと前記第２のコンポーネントを分離するスリットと、を備える、ゴルフクラブヘッド。
【０１４３】
条項２．  前記第１のコンポーネントは、前記キャビティの前記第１のポケット内に配置され、前記第２のコンポーネントは、前記キャビティの前記第２のポケット内に配置される、条項１に記載のゴルフクラブヘッド。
【０１４４】
条項３．  前記第１のコンポーネントの前記１つのアパーチャー、及び、前記第２のコンポーネントの前記１つのアパーチャーは、前記キャビティの前記分割部の前記アパーチャーと同心である、条項１に記載のゴルフクラブヘッド。
【０１４５】
条項４．  前記第１のコンポーネントの前記１つのアパーチャー、前記第２のコンポーネントの前記１つのアパーチャー、及び、前記分割部の前記アパーチャーは、締結具を受容する、条項３に記載のゴルフクラブヘッド。
【０１４６】
条項５．  前記分割部は、前記キャビティの前記サイド壁に対して平行に、前記キャビティの前記底部壁から延在している、条項１に記載のゴルフクラブヘッド。
【０１４７】
条項６．  前記分割部は、前記キャビティの前記サイド壁に対して所定の角度で、前記キャビティの前記底部壁から延在しており、
前記キャビティの前記第１のポケットは、前記ゴルフクラブヘッドの前記トウ領域よりも前記ヒール領域において、幅が大きくなっている、条項１に記載のゴルフクラブヘッド。
【０１４８】
条項７．  前記分割部は、前記キャビティの前記サイド壁に対して所定の角度で、前記キャビティの前記底部壁から延在しており、
前記キャビティの前記第１のポケットは、前記ゴルフクラブヘッドの前記ヒール領域よりも前記トウ領域において、幅が大きくなっている、条項１に記載のゴルフクラブヘッド。
【０１４９】
条項８．  前記分割部は、前記キャビティの前記サイド壁から垂直に延在している、条項１に記載のゴルフクラブヘッド。
【０１５０】
条項９．  前記第１のコンポーネント及び前記第２のコンポーネントは、タングステン、アルミニウム、チタン、バナジウム、クロム、コバルト、又は、ニッケルを含むことができる、条項１に記載のゴルフクラブヘッド。
【０１５１】
条項１０．  ゴルフクラブヘッドであって、ボディと、インサートと、を備え、前記ボディは、前記ゴルフクラブヘッドのフロント側のストライクフェイスと、前記ストライクフェイスに対向するバックフェイスと、ヒール領域と、前記ヒール領域に対向するトウ領域と、ソールと、前記ゴルフクラブヘッドのリア側のリア部と、前記バックフェイスと前記リア部との間に設けられているキャビティと、を備え、前記キャビティは、前記バックフェイスの一部分を構成するフェイスサイド壁、前記フェイスサイド壁に対向するリアサイド壁と、前記フェイスサイド壁と前記リアサイド壁との間の底部壁と、前記底部壁から前記キャビティの一部分の中へ延在するポストと、前記フェイスサイド壁から前記リアサイド壁へ測定される幅と、を備え、前記インサートは、前記キャビティ内に受容され、前記インサートは、第１のコンポーネントであって、前記ゴルフクラブヘッドの前記リアサイド壁に隣接するように構成されているバック表面と、前記バック表面に対向するフロント表面と、底部表面と、前記底部表面に対向する頂部表面と、トウ領域サイドと、前記トウ領域サイドに対向するヒール領域サイドと、弾性的に変形可能な材料と、を備える前記第１のコンポーネントと、頂部表面、底部表面、及び、塑性変形可能な材料を備え、前記インサートの前記第１のコンポーネント内に受容される構成されているリテイナーと、を備える、ゴルフクラブヘッド。
【０１５２】
条項１１．  前記インサートの前記第１のコンポーネントは、さらに、前記インサートの前記底部表面から延在するインサートキャビティを備え、前記インサートキャビティは、前記ポスト及びリテイナーを受容するように構成されている、条項１０に記載のゴルフクラブヘッド。
【０１５３】
条項１２．  前記リテイナーは、さらに、前記キャビティの前記ポスト上に配置されるボアを備える、条項１１に記載のゴルフクラブヘッド。
【０１５４】
条項１３．  前記リテイナーの前記ボアは、複数のタブと、前記タブ同士の間に配置されたキャビティと、を備え、前記タブは、前記リテイナーが前記第１のコンポーネント内に配置されているときに、前記インサートの前記第１のコンポーネントの前記頂部表面に向けて上向きに配向されている、条項１２に記載のゴルフクラブヘッド。
【０１５５】
条項１４．  前記インサートは、０．５グラム〜３６グラムの範囲にあるマスを備える、条項１０に記載のゴルフクラブヘッド。
【０１５６】
条項１５．  ゴルフクラブヘッドであって、ボディと、インサートと、を備え、前記ボディは、前記ゴルフクラブヘッドのフロント側のストライクフェイスと、前記ストライクフェイスに対向するバックフェイスと、ヒール領域と、前記ヒール領域に対向するトウ領域と、ソールと、前記ゴルフクラブヘッドのリア側のリア部と、前記バックフェイスと前記リア部との間に設けられているキャビティと、を備え、前記キャビティは、前記バックフェイスの一部分を構成するフェイスサイド壁と、前記ヒール領域から前記トウ領域へ延在する凹部を備える、前記フェイスサイド壁に対向するリアサイド壁と、前記フェイスサイド壁と前記リアサイド壁との間の底部壁と、前記フェイスサイド壁から前記リアサイド壁へ測定される幅と、を備え、前記インサートは、前記キャビティ内に受容され、前記インサートは、第１のコンポーネントであって、前記ゴルフクラブヘッドの前記リアサイド壁に隣接するように構成されているバック表面と、前記バック表面に対向するフロント表面と、底部表面と、前記底部表面に対向する上部表面とトウ領域サイドと、前記トウ領域サイドに対向するヒール領域サイドと、弾性的に変形可能な材料と、を備える前記第１のコンポーネントと、頂部表面、底部表面、及び、塑性変形可能な材料を備え、前記インサートの前記第１のコンポーネント内に受容されるように構成されているリテイナーと、を含む、ゴルフクラブヘッド。
【０１５７】
条項１６．  前記インサートの前記第１のコンポーネントは、前記第１のコンポーネントの前記バック表面に配置されているスロットを備え、前記インサートの前記リテイナーを受容するに構成されている、条項１５に記載のゴルフクラブヘッド。
【０１５８】
条項１７．  前記スロットの一部は、前記ボディの前記バック表面の前記第１のコンポーネントの材料の一部によって、ウィンドウへと分離されている、条項１６に記載のゴルフクラブヘッド。
【０１５９】
条項１８．  前記リテイナーは、タブを有する第１のエッジと、前記リアサイド壁の前記凹部内に受容されるアームを備え、前記第１のエッジに対向するの第２のエッジと、を備える、条項１５に記載のゴルフクラブヘッド。
【０１６０】
条項１９．  前記インサートの前記リテイナーは、前記キャビティの前記幅、及び、前記インサートの前記第１のコンポーネントの幅よりも大きい幅を備え、前記リテイナーが前記インサートの前記第１のコンポーネント及び前記キャビティ内に受容されているときに、サジッタ距離が形成される、条項１５に記載のゴルフクラブヘッド。
【０１６１】
条項２０．  前記インサートは、０．５グラム〜３６グラムの範囲にあるマスを備える、条項１５に記載のゴルフクラブヘッド。
【図１】
2020157093.tif 000003
【図２】
2020157093.tif 000004
【図３】
2020157093.tif 000005
【図４Ａ】
2020157093.tif 000006
【図４Ｂ】
2020157093.tif 000007
【図５】
2020157093.tif 000008
【図６】
2020157093.tif 000009
【図７Ａ】
2020157093.tif 000010
【図７Ｂ】
2020157093.tif 000011
【図８】
2020157093.tif 000012
【図９】
2020157093.tif 000013
【図１０】
2020157093.tif 000014
【図１１】
2020157093.tif 000015
【図１２】
2020157093.tif 000016
【図１３】
2020157093.tif 000017
【図１４】
2020157093.tif 000018
【図１５】
2020157093.tif 000019
【図１６】
2020157093.tif 000020
【図１７】
2020157093.tif 000021
【図１８】
2020157093.tif 000022
【図１９】
2020157093.tif 000023
【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
ボディと、
インサートと、を備え、
前記ボディは、
前記ゴルフクラブヘッドのフロントにおけるストライクフェイスと、
前記ストライクフェイスに対向するバックフェイスと、
ヒール領域と、
前記ヒール領域に対向するトウ領域と、
ソールと、
前記ゴルフクラブヘッドのリアにおけるリア部と、
前記バックフェイスと前記リア部との間に設けられているキャビティと、を備え、
前記キャビティは、
前記バックフェイスの一部分を構成するフェイスサイド壁と、
前記ヒール領域から前記トウ領域へ延在する凹部を備え、前記フェイスサイド壁に対向するリアサイド壁と、
前記フェイスサイド壁と前記リアサイド壁との間の底部壁と、
前記フェイスサイド壁から前記リアサイド壁へ測定される幅と、を備え、
前記インサートは、前記キャビティ内に受容され、
前記インサートは、
第１のコンポーネントであって、
前記ゴルフクラブヘッドの前記リアサイド壁に隣接するように構成されているバック表面と、
前記バック表面に対向するフロント表面と、
底部表面と、
前記底部表面に対向する上部表面と
トウ領域サイドと、
前記トウ領域サイドに対向するヒール領域サイドと、
弾性的に変形可能な材料と、を備える前記第１のコンポーネントと、
頂部表面、底部表面、及び、塑性変形可能な材料を備え、前記インサートの前記第１のコンポーネント内に受容されるように構成されているリテイナーと、
を備える、ゴルフクラブヘッド。
【請求項２】
前記インサートの前記第１のコンポーネントは、前記第１のコンポーネントの前記バック表面に配置されているスロットを備え、前記インサートの前記リテイナーを受容するように構成されている、請求項１に記載のゴルフクラブヘッド。
【請求項３】
前記スロットの一部は、前記ボディの前記バック表面の前記第１のコンポーネントの材料の一部によって、ウィンドウへと分離されている、請求項２に記載のゴルフクラブヘッド。
【請求項４】
前記リテイナーは、
タブを有する第１のエッジと、
前記リアサイド壁の前記凹部内に受容されるアームを備え、前記第１のエッジに対向する第２のエッジと、
を備える、請求項１から３のいずれか一項に記載のゴルフクラブヘッド。
【請求項５】
前記インサートの前記リテイナーは、前記キャビティの前記幅、及び、前記インサートの前記第１のコンポーネントの幅よりも大きい幅を備え、
前記リテイナーが前記インサートの前記第１のコンポーネント及び前記キャビティ内に受容されているときに、サジッタ距離が形成される、請求項１から４のいずれか一項に記載のゴルフクラブヘッド。
【請求項６】
前記インサートは、０．５グラム〜３６グラムの範囲にあるマスを備える、請求項１から５のいずれか一項に記載のゴルフクラブヘッド。
【請求項７】
前記キャビティは、さらに、ポストを備える、請求項１から６のいずれか一項に記載のゴルフクラブヘッド。
【請求項８】
前記ポストは、前記底部壁から前記キャビティの一部の中へ延在する、請求項７に記載のゴルフクラブヘッド。
【請求項９】
前記リテイナーは、さらに、前記キャビティの前記ポスト上に配置されるボアを備える、請求項８に記載のゴルフクラブヘッド。
【請求項１０】
前記第１のコンポーネントは、タングステン、アルミニウム、チタン、バナジウム、クロム、コバルト、及び、ニッケルからなるグループの中から選択される金属を備える、請求項１から９のいずれか一項に記載のゴルフクラブヘッド。
【外国語明細書】
2020157093000001.pdf
2020157093000002.pdf
2020157093000003.pdf
2020157093000004.pdf